(57)【要約】  視聴者の左眼及び右眼への透過光量を調整し、映像を立体的に知覚させるように前記映像の視聴を補助する補助動作を行う眼鏡装置であって、前記映像の表示に同期した同期信号を受信する受信部と、前記補助動作を行うための電力の供給が開始された後、前記同期信号の信号構成を解析し、前記信号構成の解析結果に基づき、第１制御モードと、該第１制御モードと異なる第２制御モードとの間で制御モードを切り替える制御部と、を備えることを特徴とする眼鏡装置。
2012081181.tif 000002
【特許請求の範囲】
【請求項１】
視聴者の左眼及び右眼への透過光量を調整し、映像を立体的に知覚させるように前記映像の視聴を補助する補助動作を行う眼鏡装置であって、
前記映像の表示に同期した同期信号を受信する受信部と、
前記補助動作を行うための電力の供給が開始された後、前記同期信号の信号構成を解析し、前記信号構成の解析結果に基づき、第１制御モードと、該第１制御モードと異なる第２制御モードとの間で制御モードを切り替える制御部と、を備えることを特徴とする眼鏡装置。
【請求項２】
前記受信部が、所定期間、前記同期信号を受信しないとき、前記制御部は、前記眼鏡装置をスリープモードにすることを特徴とする請求項１に記載の眼鏡装置。
【請求項３】
前記所定期間が開始される前に行われた前記同期信号の前記信号構成の解析の結果、前記制御部が前記第１制御モードを選択し、且つ、前記眼鏡装置が前記スリープモードになる前に前記受信部が前記同期信号を受信するならば、前記制御部は、前記同期信号の前記信号構成を再度解析することなく、前記第１制御モードを選択し、
前記所定期間が開始される前に行われた前記同期信号の前記信号構成の解析の結果、前記制御部が前記第２制御モードを選択し、且つ、前記眼鏡装置が前記スリープモードになる前に前記受信部が前記同期信号を受信するならば、前記制御部は、前記同期信号の前記信号構成を再度解析することなく、前記第２制御モードを選択することを特徴とする請求項２に記載の眼鏡装置。
【請求項４】
前記同期信号の受信を通知する通知部を更に備え、
前記同期信号は、第１同期信号と、該第１同期信号と異なる信号構成を有する第２同期信号と、を含み、
前記制御部は、前記受信部が前記第１同期信号を受信したとき、前記第１制御モード下で前記通知部を制御し、前記受信部が前記第２同期信号を受信したとき、前記第２制御モード下で前記通知部を制御し、
前記第１制御モード下で制御される前記通知部は、前記第２制御モード下で制御される前記通知部の動作と異なる動作をすることを特徴とする請求項１乃至３のいずれか１項に記載の眼鏡装置。
【請求項５】
前記第１同期信号は、立体映像を表示するテレビ装置又はパーソナルコンピュータから送信され、
前記第２同期信号は、映画館内で立体映像を表示する表示システムから送信されることを特徴とする請求項４に記載の眼鏡装置。
【請求項６】
前記通知部は、光を発する発光部を含み、
前記制御部が、前記同期信号の前記信号構成を解析しているとき、前記発光部は、発光、消灯又は点滅し、前記制御部が前記信号構成の解析を行っていることを視聴者に通知することを特徴とする請求項５に記載の眼鏡装置。
【請求項７】
前記制御部は、前記受信部が前記第１同期信号を受信したとき、前記発光部を発光させ、前記受信部が前記第２同期信号を受信したとき、前記発光部を消灯させることを特徴とする請求項６に記載の眼鏡装置。
【請求項８】
前記補助動作を行う光学フィルタ部を更に備え、
前記制御部は、前記受信部が前記第１同期信号を受信したとき、前記第１制御モード下で前記光学フィルタ部を制御し、前記受信部が前記第２同期信号を受信したとき、前記第２制御モード下で前記光学フィルタ部を制御し、
前記第１制御モード下で制御される前記光学フィルタ部は、前記第１同期信号の受信タイミングに基づき、前記補助動作を行い、
前記第２制御モード下で制御される前記光学フィルタ部は、前記第２同期信号の受信タイミングに基づき、前記補助動作を行うことを特徴とする請求項４乃至７のいずれか１項に記載の眼鏡装置。
【請求項９】
前記制御部が、前記同期信号の前記信号構成を解析している間、前記制御部は、前記光学フィルタ部を動作させないことを特徴とする請求項８に記載の眼鏡装置。
【請求項１０】
前記制御部は、
前記第１同期信号の信号構成と前記第２同期信号の信号構成とに関する信号構成データを予め格納した記憶部と、
前記信号構成データと前記受信部が受信した同期信号の信号構成とを比較し、前記第１制御モード及び第２制御モードのうち一方を選択する選択部と、を含むことを特徴とする請求項５乃至７のいずれか１項に記載の眼鏡装置。
【請求項１１】
前記信号構成データは、伝送波長帯域、伝送無線周波数、前記同期信号の周波数、前記同期信号の情報量及び前記同期信号のビット配列のうち少なくとも１つに関するデータを含むことを特徴とする請求項１０に記載の眼鏡装置。
【請求項１２】
前記第２同期信号には暗号化された暗号化信号が付加され、
前記選択部は、前記信号構成データと前記受信部が受信した前記同期信号の信号構成とを比較し、前記受信部が受信した前記同期信号が前記暗号化信号を含むとき、前記第２制御モードを選択し、前記受信部が受信した前記同期信号が前記暗号化信号を含まないとき、前記第１制御モードを選択することを特徴とする請求項１０に記載の眼鏡装置。
【請求項１３】
視聴者の左眼及び右眼への透過光量を調整し、映像を立体的に知覚させるように前記映像の視聴を補助する補助動作を行う眼鏡装置の制御方法であって、
同期信号を受信する段階と、
前記同期信号の信号構成を解析する段階と、
前記信号構成の解析結果に基づき、前記眼鏡装置に対する制御モードを、第１制御モードと、該第１制御モードと異なる第２制御モードとの間で切り替える段階と、を備えることを特徴とする制御方法。
【発明の詳細な説明】
【技術分野】
【０００１】
左眼で視聴されるように作成された左眼用映像を左眼で視聴させ、右眼で視聴されるように作成された右眼用映像を右眼で視聴させるように立体映像の視聴を補助する眼鏡装置及び眼鏡装置の制御方法に関する。
【背景技術】
【０００２】
３Ｄ映画の普及に伴って、家庭内で３Ｄ映像を視聴するための表示装置が開発並びに市販されている。３Ｄ映像用の表示装置は、典型的には、フレームシーケンシャル方式（時分割方式とも称される）を採用し、左眼で視聴されるように作成された左眼用映像と右眼で視聴されるように作成された右眼用映像とを時間的に交互に切り替えて表示する。【０００３】
フレームシーケンシャル方式或いは時分割方式を採用する表示装置として、映画館で用いられるプロジェクタや家庭内で用いられるテレビ装置やパーソナルコンピュータのディスプレイ装置が挙げられる。これらの３Ｄ表示装置は、左眼用映像と右眼用映像とを時間的に交互に切り替えて表示する。視聴者は、眼鏡装置（一般的に、３Ｄアクティブシャッタ眼鏡と称される）を介して、３Ｄ表示装置が表示する映像を視聴する。【０００４】
表示装置は、左眼用映像の表示及び／又は右眼用映像の表示に同期する同期信号を送信する。同期信号として、例えば、赤外（ＩＲ）信号や無線（ＲＦ）信号が用いられる。同期信号を受信した眼鏡装置は、左眼用映像の表示に同期して、左眼前に配設された左シャッタを開く一方で、右眼前に配設された右シャッタを閉じる。また、眼鏡装置は、右眼用映像の表示に同期して、右シャッタを開く一方で、左シャッタを閉じる。かくして、左眼用映像からの光は左眼のみに透過し、右眼用映像からの光は右眼のみに透過する。【０００５】
眼鏡装置の左シャッタ及び右シャッタとして、典型的には、液晶シャッタが用いられる。左右の液晶シャッタは、同期信号の受信に応じて開閉する。表示装置から送信される同期信号は、左眼用映像及び右眼用映像の表示に同期して左右の液晶シャッタを開閉させる時刻（タイミング）を眼鏡装置に通知するために用いられる（例えば、特許文献１又は特許文献２参照）。【０００６】
現状において、３Ｄ映画を上映する映画館で用いられている眼鏡装置（以下、劇場用眼鏡装置と称される）及び３Ｄ映像を表示可能な家庭用のテレビ装置や家庭用のパーソナルコンピュータのディスプレイ装置（以下、３Ｄディスプレイ装置と称される）に用いられる眼鏡装置（以下、家庭用眼鏡装置と称される）は、異なる仕様に基づき製造されている。したがって、使用者は、単一の眼鏡装置を用いて、映画館で上映される３Ｄ映画及び家庭用の３Ｄディスプレイ装置が表示する３Ｄ映像のうち一方しか視聴することができない。【０００７】
使用者は、家庭用の眼鏡装置を購入するときに、様々な眼鏡装置を実際に装着し、最もフィット感のよい眼鏡装置を選択することができる。一方で、劇場用の眼鏡装置は、多くの人に適合するように設計されているため、実際に使用する使用者にとって必ずしも良好なフィット感をもたらすものではない。使用者が、自身の顔に適切にフィットしない眼鏡装置を着用して劇場で映像を視聴するならば、使用者は上映される映像に十分に集中できないこともある。【０００８】
使用者が、自身が購入した眼鏡装置を劇場で使用できるならば、使用者は、劇場で映像を快適に視聴することができるが、上述の如く、現状において、同期信号に関する共通する或いは統一された仕様は存在しない。劇場用の３Ｄ表示装置及び家庭用の３Ｄ表示装置は、互いに異なる仕様（異なるコード、異なる送信タイミング）で同期信号を眼鏡装置に送信している。眼鏡装置も、送信される同期信号の仕様に合わせて、シャッタが開閉されるようにそれぞれ固有にプログラムされている。【０００９】
視聴者に提供される画質の維持や既存の装置との互換性の観点から、既存の３Ｄ表示装置及びこれに対応する眼鏡装置に基づき最適化された同期信号のコードやタイミングの変更は好ましくない。したがって、劇場用及び家庭用でそれぞれ固有に用いられている同期信号の仕様の変更は、現状において困難である。
【先行技術文献】
【特許文献】
【００１０】
【特許文献１】特開平１１−９８５３８号公報
【特許文献２】特開２０００−３６９６９号公報
【発明の概要】
【００１１】
本発明は、異なる仕様の同期信号に基づき適切に動作する眼鏡装置及び異なる仕様の同期信号に基づき眼鏡装置を適切に制御するための制御方法を提供することを目的とする。
【００１２】
本発明の一局面に係る眼鏡装置は、視聴者の左眼及び右眼への透過光量を調整し、映像を立体的に知覚させるように前記映像の視聴を補助する補助動作を行う眼鏡装置であって、前記補助動作を行うための電力を供給する電源部と、前記映像の表示に同期した同期信号を受信する受信部と、前記電源部が前記電力の供給を開始した後、前記同期信号の信号構成を解析し、前記信号構成の解析結果に基づき、第１制御モードと、該第１制御モードと異なる第２制御モードとの間で制御モードを切り替える制御部と、を備えることを特徴とする。
【００１３】
本発明の他の局面に係る眼鏡装置の制御方法は、視聴者の左眼及び右眼への透過光量を調整し、映像を立体的に知覚させるように前記映像の視聴を補助する補助動作を行う眼鏡装置の制御方法であって、同期信号を受信する段階と、前記同期信号の信号構成を解析する段階と、前記信号構成の解析結果に基づき、前記眼鏡装置に対する制御モードを、第１制御モードと、該第１制御モードと異なる第２制御モードとの間で切り替える段階と、を備えることを特徴とする。
【００１４】
本発明は、異なる仕様の同期信号に基づき適切に動作する眼鏡装置及び異なる仕様の同期信号に基づき眼鏡装置を適切に制御するための制御方法を提供することができる。
【００１５】
本発明の目的、特徴及び利点は、以下の詳細な説明と添付図面とによって、より明白となる。
【図面の簡単な説明】
【００１６】
【図１】一実施形態に従う眼鏡装置の使用環境を例示する模式図である。
【図２】図１に示される眼鏡装置の概略的な斜視図である。
【図３】図１に示される眼鏡装置並びに表示装置の概略的なハードウェア構成を示すブロック図である。
【図４】図３に示されるブロック図に対応する表示装置の概略的な機能構成を示すブロック図である。
【図５】図３に示されるブロック図に対応する眼鏡装置の概略的な機能構成を示すブロック図である。
【図６】図１に示される表示装置による映像の表示、同期信号の送信及び眼鏡装置の補助動作の間の同期を例示する概略的なタイミングチャートである。
【図７】図２に示される眼鏡装置の動作を概略的に示す概念図である。
【図８】図７に示される動作中における眼鏡装置のＬＥＤの明滅を概略的に示す概念図である。
【図９】図７に示される動作がまとめられた概略的なフローチャートである。
【図１０】図９に示されるフローチャートに従って、ＴＶ装置と劇場において用いられる表示装置との識別手法を概略的に示すフローチャートである。
【発明を実施するための形態】
【００１７】
以下、一実施形態に従う眼鏡装置及び眼鏡装置の制御方法が、添付の図面を参照して説明される。尚、図面に示される構成、配置或いは形状等並びに図面に関連する記載は、単に眼鏡装置及び眼鏡装置の制御方法の原理を容易に理解させることを目的とするものであり、眼鏡装置及び眼鏡装置の制御方法の原理を何ら限定するものではない。
【００１８】
（眼鏡装置の構成）
図１は、眼鏡装置が使用される環境を概略的に示す模式図である。図１を用いて、眼鏡装置の使用環境が説明される。
【００１９】
眼鏡装置５００は、例えば、家庭用の表示装置６００ａが表示する立体映像及び劇場用の表示装置６００ｂが表示する立体映像をともに視聴者が視聴できるように形成される。家庭用の表示装置６００ａは、第１同期信号を眼鏡装置５００に送信する。劇場用の表示装置６００ｂは、第２同期信号を眼鏡装置５００に送信する。眼鏡装置５００は、後述される制御モードの切り替えを通じて、第１同期信号又は第２同期信号に基づき、立体映像の視聴を補助する補助動作を実行する。
【００２０】
家庭用の表示装置６００ａとして、テレビ装置やパーソナルコンピュータが備えるディスプレイ装置が例示される。代替的に、比較的明るい環境下（例えば、５０ｌｘ以上２００ｌｘ以下の環境下）で立体映像を表示する他の表示装置が、第１同期信号を送信する表示装置として用いられてもよい。
【００２１】
劇場用の表示装置６００ｂとして、映画館内で立体映像を表示する表示システム（例えば、プロジェクタ）が例示される。代替的に、比較的暗い環境下で立体映像を表示する及び／又は多人数で視聴される立体映像を表示する他の表示装置が、第２同期信号を送信する表示装置として用いられてもよい。
【００２２】
以下の説明において、家庭用の表示装置６００ａ及び劇場用の表示装置６００ｂは、「表示装置６００」と総称される。表示装置６００は、左眼で視聴されるように作成された左眼用映像（以下、Ｌ映像と称される）と右眼で視聴されるように作成された右眼用映像（以下、Ｒ映像と称される）とを交互に表示する。
【００２３】
表示装置６００ａは、Ｌ映像及びＲ映像の表示に同期して、第１同期信号を眼鏡装置５００へ送信する。表示装置６００ｂは、Ｌ映像及びＲ映像の表示に同期して、第２同期信号を眼鏡装置５００へ送信する。
【００２４】
以下の説明において、第１同期信号及び第２同期信号は、「同期信号」と総称される。本実施形態において、同期信号として、赤外（ＩＲ）信号が用いられる。代替的に、同期信号として、無線（ＲＦ）信号や表示装置６００と眼鏡装置５００との通信を成立させることができる他の信号が用いられてもよい。
【００２５】
第１同期信号及び第２同期信号は、異なるプロトコルを有する。本実施形態の説明で用いられる「プロトコル」との用語は、同期信号を送信する送信装置と同期信号を受信する受信装置との間で予め定められた信号構成を意味する。本実施形態において、送信装置は、表示装置６００に相当する。また、受信装置は、眼鏡装置５００に相当する。
【００２６】
プロトコルとして、同期信号の伝送波長帯域、伝送無線周波数、同期信号の周波数、同期信号の情報量、同期信号のビット配列、同期信号に付加された暗号化信号の有無が例示される。眼鏡装置５００は、第１同期信号と第２同期信号との間のプロトコルの相違に基づき、異なる動作を実行する。
【００２７】
図２は、眼鏡装置５００の概略的な斜視図である。図１及び図２を用いて、眼鏡装置５００が説明される。
【００２８】
眼鏡装置５００は、全体として、視力矯正用眼鏡と略同様の形状をなす。眼鏡装置５００は、光学フィルタ部２２４を備える。光学フィルタ部２２４は、眼鏡装置５００が装着されたときに視聴者の左眼前に位置するＬ光学フィルタ２４１と、視聴者の右眼前に位置するＲ光学フィルタ２４２とを含む。眼鏡装置５００は、Ｌ光学フィルタ２４１を用いて左眼に透過する映像の光の量を調整するとともに、Ｒ光学フィルタ２４２を用いて右眼に透過する映像の光の量を調整する。映像の光の量に対する調整は、表示装置６００によるＬ映像及びＲ映像の表示に同期する。視聴者は、左眼と右眼とで視聴する映像から視差を感知し、表示装置６００が表示する映像を立体的な映像として知覚する。眼鏡装置５００の光量の調整動作は、以下の説明において、「補助動作」と称される。
【００２９】
眼鏡装置５００は、Ｌ光学フィルタ２４１とＲ光学フィルタ２４２との間に配設される受光素子２２３を備える。受光素子２２３は、上述の同期信号を受信する。尚、同期信号として、ＲＦ信号が用いられるならば、眼鏡装置５００は、受光素子２２３に代えて、ＲＦ信号を受信するための適切な素子を備えてもよい。本実施形態において、受光素子２２３は、受信部として例示される。
【００３０】
眼鏡装置５００は、光学フィルタ部２２４及び受光素子２２３を保持する保持部２５１と、保持部２５１から視聴者の耳に向けて延びるアーム部２５２とを含む。保持部２５１及びアーム部２５２内には、眼鏡装置５００の様々な要素（後述される）が組み込まれている。
【００３１】
眼鏡装置５００は、アーム部２５２上に現れるスライド式のスイッチ部２５３と、アーム部２５２内に着脱自在に取り付けられる電池（図示せず）と、を更に備える。視聴者は、スイッチ部２５３をアーム部２５２上で摺動させ、電池から眼鏡装置５００の様々な要素への電力供給のオン・オフを切り替えることができる。眼鏡装置５００は、電池からの電力によって、上述の補助動作を実行することができる。本実施形態において、スイッチ部２５３及び電池は電源部として例示される。
【００３２】
眼鏡装置５００は、アーム部２５２上に現れるＬＥＤ２５４を更に備える。ＬＥＤ２５４は、同期信号の受信に応じて、点灯或いは消灯してもよい。視聴者は、必要に応じて、眼鏡装置５００を顔から外し、ＬＥＤ２５４の点灯或いは消灯を確認し、眼鏡装置５００と表示装置６００との間の通信状態（例えば、第１同期信号又は第２同期信号の受信状態）を知ることができる。尚、ＬＥＤ２５４は、外向きに発光するので、眼鏡装置５００を装着した視聴者はＬＥＤ２５４の発光をほとんど知覚しない。ＬＥＤ２５４は更に、スイッチ部２５３が操作され、眼鏡装置５００の様々な要素への電力供給が開始されたとき、点灯或いは消灯してもよい。本実施形態において、ＬＥＤ２５４は、通知部として例示される。
【００３３】
図３は、表示装置６００及び眼鏡装置５００のハードウェア構成を示す。図１乃至図３を用いて、表示装置６００及び眼鏡装置５００のハードウェア構成が説明される。
【００３４】
不必要に冗長な説明を避けるために、家庭用の表示装置６００ａ及び劇場用の表示装置６００ｂは、共通するハードウェア構成を有する。図３に示される表示装置６００のハードウェア構成は、例示的なものであり、家庭用の表示装置６００ａ及び劇場用の表示装置６００ｂは、異なるハードウェア構成を有してもよい。
【００３５】
表示装置６００は、復号ＩＣ２００、映像信号処理ＩＣ２０１、送信制御ＩＣ２０２、ＣＰＵ２０３、メモリ２０４、クロック２０５、ディスプレイユニット２０６及び発光素子２０７を備える。
【００３６】
復号ＩＣ２００は、入力される符号化された映像信号を復号化して映像データを所定の様式で出力する。映像の符号化として、ＭＰＥＧ（Motion Picture Experts Group）−２、ＭＰＥＧ−４やＨ２６４が例示される。
【００３７】
映像信号処理ＩＣ２０１は、立体映像の表示に関する信号処理を行う。映像信号処理ＩＣ２０１は、映像信号の処理を実行し、復号ＩＣ２００からの映像データを立体映像として表示する。代替的に、映像信号処理ＩＣ２０１は、復号ＩＣ２００で復号された映像データからＬ映像とＲ映像とを検出し、検出されたＬ映像とＲ映像とが時間的に交互に表示されてもよい。更に代替的に、復号ＩＣ２００が出力した映像データからＬ映像とＲ映像とが自動的に生成され、映像信号処理ＩＣ２０１は、生成された左眼用及び右眼用の映像をディスプレイユニット２０６に交互に出力してもよい。立体映像の表示に関する信号処理を行なった後、映像信号処理ＩＣ２０１は、ディスプレイユニット２０６の信号入力方式に適合した出力信号を生成する。
【００３８】
尚、映像信号処理ＩＣ２０１は、上記の処理以外の処理を実行してもよい。映像信号処理ＩＣ２０１は、例えば、ディスプレイユニット２０６の特性に応じて、表示される映像の色彩を調整する処理を実行してもよい。更に、映像信号処理ＩＣ２０１は、復号ＩＣ２００で生成された映像データのフレーム間の映像を補間し、映像のフレームレートを上げてもよい。
【００３９】
送信制御ＩＣ２０２は、映像信号処理ＩＣ２０１が生成したＬ映像及びＲ映像と同期する同期信号を生成し、生成された同期信号を発光素子２０７へ出力する。
【００４０】
ＣＰＵ２０３は、表示装置６００全体を制御する。ＣＰＵ２０３は、メモリ２０４に記録されたプログラム及び外部からの入力（図示せず）に従って、表示装置６００の様々な要素（例えば、復号ＩＣ２００や映像信号処理ＩＣ２０１）を制御する。
【００４１】
メモリ２０４は、ＣＰＵ２０３が実行するプログラムやプログラム実行時に発生する一時データを記録する領域として利用される。メモリ２０４として、揮発性のＲＡＭ（Random  Access  Memory）や不揮発性のＲＯＭ（Read  Only  Memory）が例示される。
【００４２】
クロック２０５は、ＣＰＵ２０３や他の構成部品へ各ＩＣの動作基準となるクロック信号を供給する。
【００４３】
家庭用の表示装置６００ａに用いられるディスプレイユニット２０６には、映像信号処理ＩＣ２０１から出力された映像信号が表示される。ディスプレイユニット２０６に対して、例えば、ＣＲＴ方式、液晶素子を用いたＬＣＤ、ＰＤＰ、有機エレクトロルミネッセンスを用いた表示方式が適用される。劇場用の表示装置６００ｂに用いられるディスプレイユニット２０６として、プロジェクタ及びプロジェクタから映像を投影されるスクリーンが例示される。映像信号処理ＩＣ２０１から出力された映像信号はプロジェクタに出力される。プロジェクタは、映像信号に基づき生成された映像をスクリーンに投影する。
【００４４】
発光素子２０７は、送信制御ＩＣ２０２による制御の下、同期信号として用いられる赤外線を出力する。本実施形態において、表示装置６００は、赤外線を発光する発光素子２０７を用いて、同期信号を出力する。代替的に、表示装置６００は、無線信号や他の信号を用いて、眼鏡装置５００との同期を達成してもよい。
【００４５】
眼鏡装置５００は、ＣＰＵ２２０、メモリ２２１、クロック２２２、受光素子２２３、光学フィルタ部２２４、ＬＥＤ２５４、スイッチ部２５３及び電池２５５を備える。
【００４６】
ＣＰＵ２２０は、メモリ２２１に記録されたプログラムや外部からの入力信号（例えば、上述の同期信号）に従って、眼鏡装置５００全体を制御する。本実施形態において、ＣＰＵ２２０は、電池２５５からの電力供給が開始された後、同期信号（第１同期信号及び第２同期信号）のプロトコルを解析する。プロトコルの解析結果に基づき、第１制御モードと、第１制御モードと異なる第２制御モードとの間で眼鏡装置５００に対する制御を切り替える。制御モードの切り替えは、後述される。
【００４７】
メモリ２２１は、ＣＰＵ２２０が実行するプログラムのデータの記録や、プログラム実行時の一時データを保持する場所として用いられる。また、メモリ２２１は、第１同期信号のプロトコル及び第２同期信号のプロトコルに関するデータを予め格納する。本実施形態において、メモリ２２１は、記憶部として例示される。第１同期信号のプロトコル及び第２同期信号のプロトコルに関するデータは、第１同期信号の信号構成と第２同期信号の信号構成とに関する信号構成データとして例示される。第１同期信号のプロトコル及び第２同期信号のプロトコルに関するデータは、例えば、同期信号の伝送波長帯域、伝送無線周波数、同期信号の周波数、同期信号の情報量、同期信号のビット配列及び／又は同期信号に付加された暗号化信号の有無に関するデータであってもよい。
【００４８】
ＣＰＵ２２０は、受光素子２２３が受信した同期信号のプロトコルと、第１同期信号のプロトコル及び第２同期信号のプロトコルに関するデータとを比較する。受光素子２２３が受信した同期信号のプロトコルがメモリ２２１に格納された第１同期信号のプロトコルに合致するならば、ＣＰＵは、第１制御モードで、眼鏡装置５００を制御する。受光素子２２３が受信した同期信号のプロトコルがメモリ２２１に格納された第２同期信号のプロトコルに合致するならば、ＣＰＵ２２０は、第２制御モードで、眼鏡装置５００を制御する。本実施形態において、ＣＰＵ２２０は、選択部として例示される。また、ＣＰＵ２２０及びメモリ２２１は、制御部として例示される。
【００４９】
クロック２２２は、眼鏡装置５００の様々な要素（例えば、ＣＰＵ２２０）へ、動作の基準となるクロック信号を供給する。クロック信号は、必要に応じて分周、逓倍したものであってもよい。
【００５０】
受光素子２２３は、表示装置６００が発光素子２０７から送信した同期信号を受信する。
【００５１】
光学フィルタ部２２４は、眼鏡装置５００を着用した視聴者の左眼及び右眼の前方に位置し、左眼及び右眼へ透過する光の量を調整する補助動作を実行する。光学フィルタ部２２４は、ＣＰＵ２２０の制御の下、左眼に対する動作と右眼に対する補助動作を適切に行い、眼鏡装置５００の着用者に表示装置６００が表示する映像を立体的に知覚させる。
【００５２】
ＣＰＵ２２０が第１制御モードを選択するとき、ＣＰＵ２２０は、第１制御モード下で、光学フィルタ部２２４を制御する。第１制御モード下で制御される光学フィルタ部２２４は、第１同期信号の受信タイミングに基づき補助動作を行う。ＣＰＵ２２０が第２制御モードを選択するとき、ＣＰＵ２２０は、第２制御モード下で、光学フィルタ部２２４を制御する。第２制御モード下で制御される光学フィルタ部２２４は、第２同期信号の受信タイミングに基づき補助動作を行う。
【００５３】
電池２５５は、ＣＰＵ２２０、受光素子２２３、光学フィルタ部２２４、ＬＥＤ２５４、メモリ２２１及びクロック２２２へ電力を供給する。
【００５４】
スイッチ部２５３は、上述の如く、視聴者の操作を通じて、電池２５５からの電力供給の開始及び停止を切り替える。
【００５５】
ＬＥＤ２５４は、発光或いは消灯し、視聴者に同期信号の通信状態を通知する。ＬＥＤ２５４の明滅は、ＣＰＵ２２０の制御下で行われる。ＣＰＵ２２０が第１制御モードを選択するとき、ＣＰＵ２２０は、第１制御モード下で、ＬＥＤ２５４を制御する。ＣＰＵ２２０が第２制御モードを選択するとき、ＣＰＵ２２０は、第２制御モード下で、ＬＥＤ２５４を制御する。第１制御モード下のＬＥＤ２５４は、第２制御モード下で制御されるＬＥＤ２５４とは異なる動作を実行する。第１制御モード及び第２制御モード下で制御されるＬＥＤ２５４の動作は、後述される。
【００５６】
ＣＰＵ２２０は、眼鏡装置５００内の電力供給を更に制御してもよい。ＣＰＵ２２０は、例えば、クロック２２２からのクロック信号に基づき、同期信号が受信されない不受信期間を測定する。不受信期間が所定の閾値を超えたとき、眼鏡装置５００をスリープモードにしてもよい。スリープモードにおいて、例えば、受光素子２２３、ＬＥＤ２５４及び光学フィルタ部２２４への電力供給は停止される。この結果、電池２５５の寿命が延びることとなる。本実施形態において、スリープモードとは、視聴者による手動操作を経ることなく、眼鏡装置５００が動作しない状態を意味する。
【００５７】
図４は、表示装置６００の機能構成図を示す。図３及び図４を用いて、表示装置６００の機能構成が説明される。尚、不必要に冗長な説明を避けるために、家庭用の表示装置６００ａ及び劇場用の表示装置６００ｂは、共通する機能構成を有する。図４に示される表示装置６００の機能構成は、例示的なものであり、家庭用の表示装置６００ａ及び劇場用の表示装置６００ｂは、異なる機能構成を有してもよい。
【００５８】
表示装置６００は、映像復号部３００、Ｌ／Ｒ信号分離部３０１、立体信号処理部３０２、表示部３０３、同期信号生成部３０４、送信制御部３０５及び送信部３０６を備える。
【００５９】
映像復号部３００には、符号化された映像信号が入力される。映像復号部３００は、符号化された映像信号を復号する。図３に示されるハードウェア構成においては、映像復号部３００は、復号ＩＣ２００に該当する。
【００６０】
Ｌ／Ｒ信号分離部３０１は、映像復号部３００が復号した映像信号から左眼用及び右眼用の映像信号を生成若しくは分離する。
【００６１】
立体信号処理部３０２は、眼鏡装置５００を通じて視認される映像を表示する表示部３０３の特性等に応じて、Ｌ／Ｒ信号分離部３０１で分離されたＬ映像及びＲ映像の信号を調整する。立体信号処理部３０２は、例えば、表示部３０３の表示面の大きさに応じて、Ｌ映像及びＲ映像の視差を調整する処理を実行する。
【００６２】
同期信号生成部３０４は、Ｌ／Ｒ信号分離部３０１が生成した左眼用及び右眼用の映像と同期又は対応した同期信号を生成する。この際、表示部３０３の特性に応じて、生成される同期信号の種類や生成タイミングが調整される。
【００６３】
Ｌ／Ｒ信号分離部３０１、立体信号処理部３０２並びに同期信号生成部３０４は、図３に示されるハードウェア構成において、映像信号処理ＩＣ２０１に該当する。
【００６４】
表示部３０３は、立体信号処理部３０２によって処理された映像信号を映像として表示する。上述の如く、図３に示されるハードウェア構成において、表示部３０３は、ディスプレイユニット２０６に該当する。
【００６５】
送信部３０６は、同期信号生成部３０４で生成された同期信号を、送信制御部３０５（後述される）の制御下で、眼鏡装置５００へ送信する。送信部３０６は、図３に示されるハードウェア構成において、発光素子２０７に該当する。
【００６６】
送信制御部３０５は、送信される同期信号のデータ量や送信間隔を制御する。送信制御部３０５は、図３に示されるハードウェア構成において、送信制御ＩＣ２０２に該当する。
【００６７】
図５は、眼鏡装置５００の機能構成図を示す。図３及び図５を用いて、眼鏡装置５００の機能構成が説明される。
【００６８】
眼鏡装置５００は、受信部４００、検出部４０１、解析部４０２、記憶部４０３、内部信号生成部４０４、光学フィルタ制御部４０５、光学フィルタ部２２４、発光部４５１及び電源部４５２を備える。
【００６９】
受信部４００は、表示装置６００から送信された同期信号（赤外信号）を受信する。受信部４００は、受光した赤外線に応じて、電気信号を検出部４０１へ出力する。図３に示されるハードウェア構成においては、受信部４００は、受光素子２２３に該当する。
【００７０】
検出部４０１は、受信部４００が受信した赤外線から生成した同期信号（電気信号）を検出する。同期信号は、所定の電気波形を持つ信号として検出される。
【００７１】
解析部４０２は、検出部４０１が検出した同期信号に基づいて、光学フィルタ部２２４を動作させるために用いられる時間間隔の情報を解析する。光学フィルタ部２２４を動作させるための情報（時間間隔情報）とは、例えば、Ｌ光学フィルタ２４１及びＲ光学フィルタ２４２の開閉タイミングの情報を意味する。本実施形態において、解析部４０２は、電池２５５からの電力供給が開始された後、同期信号（第１同期信号及び第２同期信号）のプロトコルを更に解析する。プロトコルの解析結果に基づき、第１制御モードと、第１制御モードと異なる第２制御モードとの間で眼鏡装置５００に対する制御を切り替える。制御モードの切り替えは、後述される。本実施形態において、解析部４０２は選択部として例示される。
【００７２】
検出部４０１及び解析部４０２は、図３に示されるハードウェア構成において、ＣＰＵ２２０が実行するプログラムの一部に該当する。
【００７３】
記憶部４０３は、解析部４０２が同期信号に基づいて解析した光学フィルタ部２２４の動作内容に関する制御情報を記録・保持する。また、記憶部４０３は、第１同期信号のプロトコル及び第２同期信号のプロトコルに関するデータを予め格納する。図３に示されるハードウェア構成において、記憶部４０３は、メモリ２２１に該当する。ＣＰＵ２２０は、制御情報をメモリ２２１に記録する。解析部４０２及び記憶部４０３は、制御部として例示される。
【００７４】
内部信号生成部４０４は、記憶部４０３に記録された同期情報、又は、解析部４０２が解析した同期情報に基づいて、眼鏡装置５００の内部で自走用の同期信号を生成する。受信部４００が、所定期間、表示装置６００からの同期信号を受信しない間、光学フィルタ部２２４は、内部信号生成部４０４が生成した自走用の同期信号に基づいて、補助動作を実行することができる。
【００７５】
内部信号生成部４０４は、解析部４０２が選択した制御モード（第１制御モード又は第２制御モード）に応じて、発光部４５１の発光或いは消灯を制御するための明滅信号を生成する。発光部４５１は、内部信号生成部４０４が生成した明滅信号に基づいて、点灯、消灯或いは点滅する。内部信号生成部４０４は、図３に示されるハードウェア構成において、ＣＰＵ２２０とクロック２２２に該当する。
【００７６】
光学フィルタ制御部４０５は、眼鏡装置５００のＬ光学フィルタ２４１及びＲ光学フィルタ２４２の動作制御（例えば、光学フィルタ部２２４を透過する光の量を調整するための制御）を行なう。光学フィルタ制御部４０５は、図３に示されるハードウェア構成において、ＣＰＵ２２０が実行する光学フィルタ制御用のプログラムに該当する。
【００７７】
光学フィルタ部２２４は、Ｌ光学フィルタ２４１及びＲ光学フィルタ２４２を備える。Ｌ光学フィルタ２４１及びＲ光学フィルタ２４２として、透過光量を調整するフィルタや、透過する光の偏光を調整するフィルタといった様々な光学素子が例示される。本実施形態において、Ｌ光学フィルタ２４１及びＲ光学フィルタ２４２として、液晶素子を用いた液晶シャッタが用いられる。液晶シャッタの開閉動作を通じて、左眼及び右眼への透過光量が増減される。
【００７８】
上述の如く、表示装置６００に表示される映像は、Ｌ映像とＲ映像とを含む。表示装置６００は、Ｌ映像とＲ映像とを時間的に交互に切り替えて表示する。光学フィルタ部２２４のＬ光学フィルタ２４１とＲ光学フィルタ２４２は、透過光量を交互に増減する。代替的に、光学フィルタ部は、映像光の偏光方向を変えてもよい。映像フレームの表示の切り替えと同期して、左眼及び右眼への透過光量を調整することができる様々な光学素子が、光学フィルタ部に適用可能である。
【００７９】
発光部４５１は、上述の如く、内部信号生成部４０４が生成した明滅信号に基づいて、点灯、消灯或いは点滅する。発光部４５１は、図３に示されるハードウェア構成において、ＬＥＤ２５４に相当する。
【００８０】
電源部４５２は、受信部４００、検出部４０１、解析部４０２、記憶部４０３、内部信号生成部４０４、光学フィルタ制御部４０５、光学フィルタ部２２４及び発光部４５１が動作するための電力を供給する。電源部４５２は、図３に示されるハードウェア構成において、スイッチ部２５３及び電池２５５に相当する。
【００８１】
（同期信号）
図６は、表示装置６００の映像の表示、同期信号の送信及び光学フィルタ部２２４の補助動作の間の同期を概略的に示すタイミングチャートである。図１乃至図６を用いて、表示装置６００の映像の表示、同期信号の送信及び光学フィルタ部２２４の補助動作の間の同期が説明される。
【００８２】
図６のセクション（ａ）は、表示装置６００が表示する映像を示す。図６のセクション（ａ）に示される如く、表示装置６００は、Ｌ映像とＲ映像とを時間的に交互に切り替えて表示する。
【００８３】
図６のセクション（ｂ）は、家庭用の表示装置６００ａから送信される第１同期信号を示す。図６のセクション（ｃ）は、劇場用の表示装置６００ｂから送信される第２同期信号を示す。
【００８４】
家庭用の表示装置６００ａから送信される第１同期信号は、Ｌ映像の表示の開始に同期して出力されるパルスＬＰ１と、Ｒ映像の表示の開始に同期して出力されるＲＰ１とを含む。
【００８５】
劇場用の表示装置６００ｂから送信される第２同期信号は、Ｌ映像の表示の開始に同期して出力されるパルスＬＰ２と、Ｒ映像の表示の開始に同期して出力されるＲＰ２とを含む。第１同期信号のパルスＬＰ１，ＲＰ１と異なり、第２同期信号のパルスＬＰ２，ＲＰ２には、同期情報に付加される付加情報が暗号化された暗号化信号が付加されている。眼鏡装置５００は、付加情報に基づく様々な動作を実行してもよい。
【００８６】
以下の説明において、暗号化信号が付加されていない第１同期信号のパルスＬＰ１，ＲＰ１の信号構成は、「第１プロトコル」と称される。暗号化信号が付加された第２同期信号のパルスＬＰ２，ＲＰ２の信号構成は、「第２プロトコル」と称される。
【００８７】
図３に関連して説明されたメモリ２２１或いは図５に関連して説明された記憶部４０３には、第１プロトコル及び第２プロトコルに関する情報が予め格納されている。本実施形態において、第１プロトコル及び第２プロトコルに関する情報は、信号構成データとして例示される。
【００８８】
図３に関連して説明されたＣＰＵ２２０或いは図５に関連して説明された解析部４０２は、受信された同期信号のパルスに暗号化信号が付加されているか否かを判定する。同期信号のパルスに暗号化信号が付加されていないならば、ＣＰＵ２２０又は解析部４０２は、第１制御モードを選択する。同期信号のパルスに暗号化信号が付加されているならば、ＣＰＵ２２０又は解析部４０２は、第２制御モードを選択する。第１制御モード及び第２制御モードは、後述される。
【００８９】
図６のセクション（ｄ）は、Ｌ光学フィルタ２４１を通じて左眼へ透過する光量の増減を概略的に表す。図６のセクション（ｅ）は、Ｒ光学フィルタ２４２を通じて左眼へ透過する光量の増減を概略的に表す。
【００９０】
図３に関連して説明されたメモリ２２１或いは図５に関連して説明された記憶部４０３は、第１同期信号のパルスＬＰ１の信号構成又は第２同期信号のパルスＬＰ２の信号構成に対応して、Ｌ光学フィルタ２４１として用いられる液晶シャッタを開き、Ｒ光学フィルタ２４２として用いられる液晶シャッタを閉じるためのコマンドプログラムを格納する。第１同期信号のパルスＬＰ１又は第２同期信号のパルスＬＰ２が受信されると、図３に関連して説明されたＣＰＵ２２０或いは図５に関連して説明された光学フィルタ制御部４０５は、Ｌ光学フィルタ２４１として用いられる液晶シャッタを開き、Ｒ光学フィルタ２４２として用いられる液晶シャッタを閉じる。この結果、Ｌ映像の表示の開始に同期して、左眼への映像光の透過光量が増大する一方で、右眼への映像光の透過光量が減少する。
【００９１】
図３に関連して説明されたメモリ２２１或いは図５に関連して説明された記憶部４０３は、第１同期信号のパルスＲＰ１の信号構成又は第２同期信号のパルスＲＰ２の信号構成に対応して、Ｌ光学フィルタ２４１として用いられる液晶シャッタを閉じ、Ｒ光学フィルタ２４２として用いられる液晶シャッタを開くためのコマンドプログラムを格納する。第１同期信号のパルスＲＰ１又は第２同期信号のパルスＲＰ２が受信されると、図３に関連して説明されたＣＰＵ２２０或いは図５に関連して説明された光学フィルタ制御部４０５は、Ｌ光学フィルタ２４１として用いられる液晶シャッタを閉じ、Ｒ光学フィルタ２４２として用いられる液晶シャッタを開く。この結果、Ｒ映像の表示の開始に同期して、左眼への映像光の透過光量が減少する一方で、右眼への映像光の透過光量が増大する。
【００９２】
（眼鏡装置の動作）
図７は、眼鏡装置５００の動作を概略的に示す概念図である。図８は、眼鏡装置５００のＬＥＤ２５４（又は、発光部４５１）の明滅を概略的に示す概念図である。図２、図３、図５乃至図８を用いて、眼鏡装置５００の動作が説明される。
【００９３】
図８には、オフ状態（オフモード）、アクティブ状態（アクティブモード）及びスリープ状態（スリープモード）の３つの眼鏡装置５００の動作状態が示されている。眼鏡装置５００の動作は、視聴者の操作及び同期信号の受信に応じて、３つの動作状態間で変化する。
【００９４】
（オフ状態からアクティブ状態）
オフ状態において、スイッチ部２５３は、「オフ」の位置に設定されている。したがって、電池２５５からＬＥＤ２５４、ＣＰＵ２２０、光学フィルタ部２２４や受光素子２２３といった要素への電力供給は停止されている。したがって、ＬＥＤ２５４は消灯されている。図８（下段）において、ＬＥＤ２５４の消灯は、黒帯線で示されている。
【００９５】
視聴者が、スイッチ部２５３を、「オン」の位置へスライドさせると、ＬＥＤ２５４は、例えば、２秒間、点灯する。図８（上段）において、ＬＥＤ２５４の点灯は、白帯線で示されている。ＬＥＤ２５４の２秒間の連続的な点灯によって、視聴者は眼鏡装置５００に電力の供給がなされたことを確認することができる。
【００９６】
上述のスイッチ部２５３の操作によって、図３及び図５に関連して説明された眼鏡装置５００の様々な要素（例えば、ＣＰＵ２２０、ＬＥＤ２５４や光学フィルタ部２２４）は、動作可能な状態（アクティブ状態）となる。
【００９７】
（アクティブ状態）
アクティブ状態の眼鏡装置５００の動作は、プロトコルチェックモード、第１制御モード及び第２制御モードを含む。
【００９８】
（プロトコルチェックモード）
上述の如く、スイッチ部２５３が操作され、眼鏡装置５００がアクティブ状態となると、眼鏡装置５００の動作は、プロトコルチェックモードに入る。スイッチ部２５３が「オン」の位置にスライドされているので、受光素子２２３（受信部４００）は、電池２５５からの電力供給を受け、表示装置６００からの同期信号を受信可能である。
【００９９】
プロトコルチェックモードにおいて、眼鏡装置５００は、検出部４０１が同期信号を検出するのを待つ。検出部４０１が同期信号を検出すると、ＣＰＵ２２０（解析部４０２）は、受信された同期信号のプロトコルを解析する。図６に関連して説明されたように、ＣＰＵ２２０（解析部４０２）は、受信された同期信号が含むパルスに暗号化信号が付加されているか否かを解析する。受信された同期信号が含むパルスに暗号化信号が付加されていないならば、眼鏡装置５００の動作は、第１制御モードに移る。受信された同期信号が含むパルスに暗号化信号が付加されているならば、眼鏡装置５００の動作は、第２制御モードに移る。同期信号が検出されたとき、ＣＰＵ２２０（解析部４０２）は、同期信号のプロトコルの解析結果に基づき、第１制御モード及び第２制御モードのうち一方を選択する。
【０１００】
プロトコルチェックモードは、例えば、５分間、継続される。５分間の間に、メモリ２２１（記憶部４０３）に予め格納された第１同期信号のプロトコルの情報と合致するプロトコルを有する同期信号が検出されると、第１制御モードが引き続き行われる。５分間の間に、メモリ２２１（記憶部４０３）に予め格納された第２同期信号のプロトコルの情報と合致するプロトコルを有する同期信号が検出されると、第２制御モードが引き続き行われる。５分間の間に、メモリ２２１（記憶部４０３）に予め格納されたプロトコル情報と合致する同期信号が検出されないならば、眼鏡装置５００はスリープ状態となる。スリープ状態の眼鏡装置５００は、後述される。
【０１０１】
ＣＰＵ２２０（解析部４０２）が、受信された同期信号のプロトコルを解析している間、ＣＰＵ２２０（光学フィルタ制御部４０５）は、光学フィルタ部２２４を動作させない。したがって、電池２５５の電力消費が抑制される。
【０１０２】
プロトコルチェックモードにおいて、ＬＥＤ２５４は、２秒間隔で点滅する。図８（中段）において、ＬＥＤ２５４が点灯していない期間は、黒帯線で示され、ＬＥＤ２５４が点灯している期間（例えば、０．０５秒の期間）は、黒帯線中の白い矩形領域で示される。視聴者は、ＬＥＤ２５４の２秒間隔での点滅により、眼鏡装置５００が同期信号のプロトコルチェックをしていることを確認し、眼鏡装置５００を装着することができる。
【０１０３】
（第１制御モード）
上述のプロトコルチェックの結果、ＣＰＵ２２０（解析部４０２）が第１制御モードを選択すると、ＣＰＵ２２０（光学フィルタ制御部４０５）は、光学フィルタ部２２４を第１同期信号にのみ基づいて制御する。したがって、光学フィルタ部２２４は、第１同期信号のパルスＬＰ１，ＲＰ１の受信タイミングに応じて、補助動作を実行する。
【０１０４】
第１制御モードは、第１同期信号の受信に基づき動作するプロトコル動作状態と、第１同期信号の受信を待つ待ち状態とを含む。プロトコル動作状態において、眼鏡装置５００は、受信された第１同期信号に基づき、光学フィルタ部２２４を制御する。比較的短期間の第１同期信号の不受信（例えば、５秒間の不受信）が生ずると、眼鏡装置５００は、待ち状態となる。待ち状態の間、眼鏡装置５００は、既に受信された第１同期信号から得た同期情報に基づいて内部信号生成部４０４が生成した自走用の同期信号に基づき、光学フィルタ部２２４を制御する。第１同期信号の不受信が開始されてから、例えば、５分以内の第１同期信号が検出されると、眼鏡装置５００は、プロトコル動作状態に戻る。５分以上、第１同期信号の不受信が継続されると、眼鏡装置５００は、スリープ状態となる。スリープ状態の眼鏡装置５００は後述される。
【０１０５】
眼鏡装置５００が、第１制御モードで制御されている間、ＬＥＤ２５４は、２秒間隔で点滅する。視聴者が眼鏡装置５００を外すと、視聴者は眼鏡装置５００が第１制御モードの制御下で制御されていることを確認することができる。第１同期信号は、比較的明るい環境下で使用される家庭用の表示装置６００ａから送信されるので、ＬＥＤ２５４の点滅は、他の視聴者の映像の視聴をほとんど妨げない。
【０１０６】
（第２制御モード）
上述のプロトコルチェックの結果、ＣＰＵ２２０（解析部４０２）が第２制御モードを選択すると、ＣＰＵ２２０（光学フィルタ制御部４０５）は、光学フィルタ部２２４を第２同期信号にのみ基づいて制御する。したがって、光学フィルタ部２２４は、第２同期信号のパルスＬＰ２，ＲＰ２の受信タイミングに応じて、補助動作を実行する。
【０１０７】
第２制御モードは、第２同期信号の受信に基づき動作するプロトコル動作状態と、第２同期信号の受信を待つ待ち状態とを含む。プロトコル動作状態において、眼鏡装置５００は、受信された第２同期信号に基づき、光学フィルタ部２２４を制御する。比較的短期間の第２同期信号の不受信（例えば、５秒間の不受信）が生ずると、眼鏡装置５００は、待ち状態となる。待ち状態の間、眼鏡装置５００は、既に受信された第２同期信号から得た同期情報に基づいて内部信号生成部４０４が生成した自走用の同期信号に基づき、光学フィルタ部２２４を制御する。第２同期信号の不受信が開始されてから、例えば、５分以内の第２同期信号が検出されると、眼鏡装置５００は、プロトコル動作状態に戻る。５分以上、第２同期信号の不受信が継続されると、眼鏡装置５００は、スリープ状態となる。スリープ状態の眼鏡装置５００は後述される。
【０１０８】
尚、メモリ２２１（記憶部４０３）は、好ましくは、上述の制御モードの選択結果を記憶する。第１同期信号或いは第２同期信号のプロトコル動作状態に移行した後に、自走用の同期信号を用いた光学フィルタ部２２４の制御が終了したとしても、受信部４００（受光素子２２３）が直前に受信された同期信号と同一の信号を再受信すると、眼鏡装置５００は、制御モードで選択された直前のプロトコル動作状態に復帰することができる。本実施形態において、同期信号の不受信期間の開始から５分以内に同期信号が再受信されるならば、解析部４０２は、プロトコルチェックモードを再度行うことなく、眼鏡装置５００は、直前の制御モードに直ぐに復帰する。例えば、視聴者が、家庭や映画館で短期間視聴環境から外れても（例えば、視聴者がトイレに行ったときであっても）、視聴者が視聴環境に再度戻ってきたときには、眼鏡装置５００は、元のプロトコルの動作状態に即時に復帰することができる。眼鏡装置５００が、プロトコルチェックモードを再度実行することなく、元のプロトコルの動作へ自動的に復帰することは、特に、使用者が映画館といった比較的暗い環境下で、映像を視聴するときに有利である。眼鏡装置５００が元のプロトコルの動作へ自動的に復帰するので、使用者は、暗い環境下で、眼鏡装置５００を操作する必要がなくなる。使用者が、劇場内の自己の座席に戻り、眼鏡装置５００を着用するのみで、使用者は、映像を適切に再視聴することができる。
【０１０９】
眼鏡装置５００が、第２制御モードで制御されている間、ＬＥＤ２５４は、消灯される。第２同期信号は、比較的暗い環境下で、且つ、多人数で視聴される劇場用の表示装置６００ｂから送信されるので、全ての視聴者は、ＬＥＤ２５４からの光に妨げられることなく、表示装置６００ｂが表示する映像を快適に視聴することができる。
【０１１０】
（スリープ状態）
上述の如く、比較的長い同期信号の不受信（例えば、５分以上の不受信）の結果、眼鏡装置５００は、スリープ状態に入る。眼鏡装置５００がスリープ状態にあるとき、ＣＰＵ２２０は、眼鏡装置５００の多くの要素（例えば、光学フィルタ部２２４、受光素子２２３やＬＥＤ２５４）への電力供給を制限し、最小限の電力（例えば、スリープ状態からオフ状態への切り替え動作に要する電力）しか消費しない。
【０１１１】
眼鏡装置５００がスリープ状態にあるとき、上述の如く、ＬＥＤ２５４には電池２５５からの電力供給が停止される。したがって、ＬＥＤ２５４は消灯される。
【０１１２】
視聴者は、スイッチ部２５３を「オフ」の位置へスライドさせ、電池２５５からの電力供給を完全に遮断することができる。その後、視聴者がスイッチ部２５３を「オン」の位置にスライドさせると、眼鏡装置５００はアクティブ状態となる。
【０１１３】
図９は、図７に関連して説明された眼鏡装置５００の動作がまとめられたフローチャートである。図２、図３、図５乃至図９を用いて、眼鏡装置５００の動作が説明される。
【０１１４】
（ステップＳ１００）
ステップＳ１００において、視聴者は、スイッチ部２５３を「オン」の位置にスライドさせる。この結果、電池２５５から眼鏡装置５００の要素（例えば、ＣＰＵ２２０、ＬＥＤ２５４や受光素子２２３）へ電力供給が開始される。その後、ステップＳ１１０が実行される。
【０１１５】
（ステップＳ１１０）
ステップＳ１００において、電池２５５からＬＥＤ２５４及びＣＰＵ２２０への電力供給がなされるので、ステップＳ１１０において、ＬＥＤ２５４（発光部４５１）は、ＣＰＵ２２０（内部信号生成部４０４）の制御下で、例えば、２秒間、点灯する。その後、ステップＳ１２０が実行される。
【０１１６】
（ステップＳ１２０）
ステップＳ１２０において、眼鏡装置５００は、プロトコルチェックモードに入る。眼鏡装置５００がプロトコルチェックモードに入ると、ＬＥＤ２５４（発光部４５１）は、ＣＰＵ２２０（内部信号生成部４０４）の制御下で、例えば、２秒間隔で点滅する。
【０１１７】
ステップＳ１００において、電池２５５から受光素子２２３への電力供給が開始されるので、眼鏡装置５００は、同期信号を受信することができる。眼鏡装置５００は、同期信号の受信を待つ。受光素子２２３が同期信号を受信すると、ステップＳ１３０が実行される。本実施形態において、ステップＳ１２０は、同期信号を受信する段階として例示される。
【０１１８】
（ステップＳ１３０）
ステップＳ１３０において、眼鏡装置５００は、ステップＳ１２０において受信された同期信号を解析し、解析結果に基づき制御モードを選択する。
【０１１９】
ステップＳ１２０で受信された同期信号が、メモリ２２１（記憶部４０３）が予め格納する第１同期信号のプロトコルの情報と合致するプロトコル（例えば、暗号化信号が付加されていない信号構成）であるならば、ＣＰＵ２２０（解析部４０２）は、第１制御モードを選択する。その後、ステップＳ１４０が実行される。
【０１２０】
ステップＳ１２０で受信された同期信号が、メモリ２２１（記憶部４０３）が予め格納する第２同期信号のプロトコルの情報と合致するプロトコル（例えば、暗号化信号が付加されている信号構成）であるならば、ＣＰＵ２２０（解析部４０２）は、第２制御モードを選択する。その後、ステップＳ１６０が実行される。
【０１２１】
ステップＳ１２０で、例えば、プロトコルチェックモードが開始してから５分間の期間に、同期信号が受信されないときは、ステップＳ１８０が実行される。
【０１２２】
本実施形態において、ステップＳ１３０は、同期信号を解析する段階と、信号構成（プロトコル）の解析結果に基づき、眼鏡装置５００に対する制御モードを、第１制御モードと、第１制御モードと異なる第２制御モードとの間で切り替える段階と、を含む。
【０１２３】
（ステップＳ１４０）
ステップＳ１３０において、第１制御モードが選択されると、第１同期信号に基づき、ＣＰＵ２２０は、光学フィルタ部２２４の補助動作を制御する。光学フィルタ部２２４は、ＣＰＵ２２０の制御下で、視聴者の左眼及び右眼への透過光量を調整し、家庭用の表示装置６００ａが表示する映像を視聴者に立体的に知覚させるように映像の視聴を補助する補助動作を行う。ＬＥＤ２５４は、ステップＳ１２０に引き続いて、例えば、２秒間隔で点滅する。
【０１２４】
（ステップＳ１５０）
第１同期信号が、例えば、５秒以上、受信されないならば、ステップＳ１５０が実行される。ＣＰＵ２２０は、クロック２２２を用いて、第１同期信号の不受信期間を測定する。第１同期信号が、ステップＳ１５０の開始時から、例えば、５分以内に受信されるならば、再度、ステップＳ１４０が実行される。第１同期信号が、ステップＳ１５０の開始時から、例えば、５分以上に受信されないならば、ステップＳ１８０が実行される。
【０１２５】
（ステップＳ１６０）
ステップＳ１３０において、第２制御モードが選択されると、第２同期信号に基づき、ＣＰＵ２２０は、光学フィルタ部２２４の補助動作を制御する。光学フィルタ部２２４は、ＣＰＵ２２０の制御下で、視聴者の左眼及び右眼への透過光量を調整し、劇場用の表示装置６００ｂが表示する映像を視聴者に立体的に知覚させるように映像の視聴を補助する補助動作を行う。ＬＥＤ２５４は、ＣＰＵ２２０（内部信号生成部４０４）の制御下で消灯される。
【０１２６】
（ステップＳ１７０）
第２同期信号が、例えば、５秒以上、受信されないならば、ステップＳ１７０が実行される。ＣＰＵ２２０は、クロック２２２を用いて、第２同期信号の不受信期間を測定する。第２同期信号が、ステップＳ１７０の開始時から、例えば、５分以内に受信されるならば、再度、ステップＳ１６０が実行される。第２同期信号が、ステップＳ１７０の開始時から、例えば、５分以上に受信されないならば、ステップＳ１８０が実行される。
【０１２７】
（ステップＳ１８０）
ステップＳ１８０において、眼鏡装置５００がスリープ状態にあるとき、ＣＰＵ２２０は、眼鏡装置５００の多くの要素（例えば、光学フィルタ部２２４、受光素子２２３やＬＥＤ２５４）への電力供給を制限し、最小限の電力（例えば、スリープ状態からオフ状態への切り替え動作に要する電力）しか消費しない。
【０１２８】
眼鏡装置５００がスリープ状態にあるとき、上述の如く、ＬＥＤ２５４には電池２５５からの電力供給が停止される。したがって、ＬＥＤ２５４は消灯される。また、電池２５５からの電力供給の停止によって、光学フィルタ部２２４の動作も同様に停止される。
【０１２９】
家庭用の表示装置６００ａが表示する映像を視聴している視聴者は、ＬＥＤ２５４の点滅から消灯への切り替わりにより、眼鏡装置５００がスリープ状態となったことを確認することができる。
【０１３０】
（ステップＳ１９０）
ステップＳ１９０において、視聴者は、スイッチ部２５３を「オフ」の位置へスライドさせ、電池２５５からの電力供給を完全に遮断することができる。
【０１３１】
上述の実施形態において、眼鏡装置５００の動作の状態は、ＬＥＤ２５４の明滅により視聴者に通知される。ＬＥＤ２５４の明滅とは異なる手法が、視聴者に眼鏡装置の動作の状態と通知するのに用いられてもよい。例えば、光学フィルタ部の開閉動作（例えば、所定周期及び／又は所定回数、Ｌ光学フィルタとして用いられる液晶シャッタ及びＲ光学シャッタとして用いられるＲ光学フィルタが同時に開閉する動作）を通じて、視聴者にプロトコルチェックモードが開始されたことが通知されてもよい。
【０１３２】
上述の実施形態において、メモリ２２１（記憶部４０３）は、前回実行されたプロトコルチェックの結果を記憶してもよい。この結果、前回実行されたプロトコルチェックで検出された同期信号のプロトコルが優先的にチェックされる。かくして、効率的なプロトコルチェックが達成される。
【０１３３】
上述の実施形態において、ＬＥＤ２５４（発光部４５１）は、点滅し、眼鏡装置５００がプロトコルチェックモードにあることを視聴者に通知している。代替的に、ＬＥＤ２５４（発光部４５１）は、連続的な発光、連続的な消灯或いは視聴者にプロトコルチェックモードが実行されていることを通知することができる他の明滅動作を行ってもよい。同様に、第１制御モード、第２制御モードやパワーオンの状態を通知するために、上述の実施形態において説明されたＬＥＤ２５４（発光部４５１）の動作以外の動作がなされてもよい。
【０１３４】
図１０は、家庭内においてＴＶ装置を用いて３Ｄ映像を視聴する場面と、劇場において３Ｄ映像を視聴する場面とにおける眼鏡装置５００の動作を説明するフローチャートである。図１０に示されるフローチャートは、図９を参照して説明されたフローチャートに則っているが、実際の使用における眼鏡装置５００の動作をより明確にする。図１、図２及び図１０を用いて、眼鏡装置５００の動作が更に説明される。
【０１３５】
使用者がスイッチ部２５３を「スイッチオン」に設定すると（眼鏡装置５００がターンオンされると）、光学フィルタ部２２４のＬ光学フィルタ２４１及びＲ光学フィルタ２４２はともに開状態となる。この結果、眼鏡装置５００を着用した使用者は、周囲を好適に見渡すことができる。
【０１３６】
図１に関連して説明された如く、眼鏡装置５００は、家庭用のＴＶ装置（家庭用の表示装置６００ａ）によって表示される３Ｄ映像と劇場用の３Ｄ映像（劇場用の表示装置６００ｂ（例えば、プロジェクタ）によって表示される）とを、視聴者が選択的に視聴することを可能にする。眼鏡装置５００は、自身の動作モードを、自動的に選択するためのプロトコルチェックを行う。眼鏡装置５００は、受信した赤外線信号に対してプロトコルチェックを実行し、ＴＶ装置用のプロトコル又は劇場用のプロトコルに対応する動作モードを選択することができる。
【０１３７】
図１０は、どのように、ＴＶ装置用のプロトコル及び劇場用のプロトコルが自動的に検出されるかを示すフローチャートである。使用者は、眼鏡装置５００を着用し、立体映像を表示する表示装置６００（ＴＶ装置又は劇場用のプロジェクション装置）に正対する。このとき、ステップＳ２２０が実行され、眼鏡装置５００は、ＴＶ装置用のプロトコルに従う赤外線信号が受信されたか、劇場用のプロトコルに従う赤外線信号が受信されたかを、チェックする。眼鏡装置５００は、赤外線信号に基づき、いずれのプロトコルに対応すべきかを見極めることができる。その後、眼鏡装置は、赤外線発光部によって送信された同期信号の検出を開始することができる。眼鏡装置５００が一方のプロトコルを検出すると、対応する動作モードが選択される。選択された動作モードは、同一のプロトコルが検出される限り、継続される。もし、眼鏡装置５００が、一時的に、プロトコル（同期信号）を受信しなかったとしても、眼鏡装置５００が、所定期間（例えば、５分間）以内に、同一のプロトコル（同期信号）を受信するならば、眼鏡装置５００は、同一の動作モードを持続する。即ち、ひとたび、プロトコルの選択がなされるならば、眼鏡装置５００は、対応する動作モードを継続し、他の動作モードへ変更しない。もし、眼鏡装置５００が、所定期間以内に同一のプロトコルを受信しないならば、最終的に、眼鏡装置５００は、ターンオフ又はパワーオフする（補助動作を実行するための電力供給は停止される）。
【０１３８】
上述の様々な実施形態は、単に例示的なものである。したがって、上述の実施形態の原理は、上記の詳細な説明や図面に記載の事項に限定されない。上述の実施形態の原理の範囲内で、当業者が様々な変形、組み合わせや省略を行うことができることは容易に理解される。
【０１３９】
上述された実施形態は、以下の特徴を主に備える。
【０１４０】
上述の実施形態の一の局面に係る眼鏡装置は、視聴者の左眼及び右眼への透過光量を調整し、映像を立体的に知覚させるように前記映像の視聴を補助する補助動作を行う。眼鏡装置は、前記映像の表示に同期した同期信号を受信する受信部と、前記補助動作を行うための電力の供給が開始された後、前記同期信号の信号構成を解析し、前記信号構成の解析結果に基づき、第１制御モードと、該第１制御モードと異なる第２制御モードとの間で制御モードを切り替える制御部と、を備えることを特徴とする。
【０１４１】
上記構成によれば、眼鏡装置は、視聴者の左眼及び右眼への透過光量を調整し、映像を立体的に知覚させるように映像の視聴を補助する補助動作を行う。受信部は、映像の表示に同期した同期信号を受信する。制御部は、補助動作を行うための電力の供給が開始された後、同期信号の信号構成を解析する。制御部は、信号構成の解析結果に基づき、第１制御モードと、第１制御モードと異なる第２制御モードとの間で制御モードを切り替える。眼鏡装置は、同期信号の信号構成に基づき、適切に制御されるので、異なる仕様の同期信号に対応することができる。
【０１４２】
上記構成において、前記受信部が、所定期間、前記同期信号を受信しないとき、前記制御部は、前記眼鏡装置をスリープモードにすることが好ましい。
【０１４３】
上記構成によれば、受信部が、所定期間、同期信号を受信しないとき、制御部は、眼鏡装置をスリープモードにするので省電力が達成される。
【０１４４】
上記構成において、前記所定期間が開始される前に行われた前記同期信号の前記信号構成の解析の結果、前記制御部が前記第１制御モードを選択し、且つ、前記眼鏡装置が前記スリープモードになる前に前記受信部が前記同期信号を受信するならば、前記制御部は、前記同期信号の前記信号構成を再度解析することなく、前記第１制御モードを選択し、前記所定期間が開始される前に行われた前記同期信号の前記信号構成の解析の結果、前記制御部が前記第２制御モードを選択し、且つ、前記眼鏡装置が前記スリープモードになる前に前記受信部が前記同期信号を受信するならば、前記制御部は前記同期信号の前記信号構成を再度解析することなく、前記第２制御モードを選択することが好ましい。
【０１４５】
上記構成によれば、所定期間が開始される前に行われた同期信号の信号構成の解析の結果、制御部が第１制御モードを選択し、且つ、眼鏡装置がスリープモードになる前に受信部が同期信号を受信するならば、制御部は、同期信号の信号構成を再度解析することなく、第１制御モードを選択する。また、所定期間が開始される前に行われた同期信号の信号構成の解析の結果、制御部が第２制御モードを選択し、且つ、眼鏡装置がスリープモードになる前に受信部が同期信号を受信するならば、制御部は同期信号の信号構成を再度解析することなく、第２制御モードを選択する。制御部は、不必要に、同期信号の信号構成を解析しないので、円滑な信号処理が達成される。
【０１４６】
上記構成において、前記同期信号の受信を通知する通知部を更に備え、前記同期信号は、第１同期信号と、該第１同期信号と異なる信号構成を有する第２同期信号と、を含み、前記制御部は、前記受信部が前記第１同期信号を受信したとき、前記第１制御モード下で前記通知部を制御し、前記受信部が前記第２同期信号を受信したとき、前記第２制御モード下で前記通知部を制御し、前記第１制御モード下で制御される前記通知部は、前記第２制御モード下で制御される前記通知部の動作と異なる動作をすることが好ましい。
【０１４７】
上記構成によれば、眼鏡装置は、同期信号の受信を通知する通知部を更に備える。同期信号は、第１同期信号と、第１同期信号と異なる信号構成を有する第２同期信号と、を含む。制御部は、受信部が第１同期信号を受信したとき、第１制御モード下で通知部を制御する。また、制御部は、受信部が第２同期信号を受信したとき、第２制御モード下で通知部を制御する。第１制御モード下で制御される通知部は、第２制御モード下で制御される通知部の動作と異なる動作をするので、第１同期信号及び／又は第２同期信号の受信を視聴者に通知することができる。
【０１４８】
上記構成において、前記第１同期信号は、立体映像を表示するテレビ装置又はパーソナルコンピュータから送信され、前記第２同期信号は、映画館内で立体映像を表示する表示システムから送信されることが好ましい。
【０１４９】
上記構成によれば、第１同期信号は、立体映像を表示するテレビ装置又はパーソナルコンピュータから送信される。第２同期信号は、映画館内で立体映像を表示する表示システムから送信される。制御部は、信号構成の解析結果に基づき、第１制御モードと、第１制御モードと異なる第２制御モードとの間で制御モードを切り替えるので、使用者は、単一の眼鏡装置を用いて、テレビ装置又はパーソナルコンピュータが表示する立体映像と表示システムが映画館内で表示する立体映像とをともに視聴することができる。したがって、使用者は、使用者自身に最も適合した単一の眼鏡装置を用いて、立体映像の視聴を楽しむことができる。加えて、制御部は、信号構成の解析結果に基づき、第１制御モードと、第１制御モードと異なる第２制御モードとの間で制御モードを切り替えるので、使用者は、映画館中の暗い環境下での眼鏡装置を操作することなしに、適切な制御下で補助動作を行う眼鏡装置の補助を受け、立体映像を視聴することができる。また、使用者の手動操作に依存することなく制御モードが切り替えられるので、不適切な制御モードの設定は生じにくくなる。
【０１５０】
上記構成において、前記通知部は、光を発する発光部を含み、前記制御部が、前記同期信号の前記信号構成を解析しているとき、前記発光部は、発光、消灯又は点滅し、前記制御部が前記信号構成の解析を行っていることを視聴者に通知することが好ましい。
【０１５１】
上記構成によれば、通知部は、光を発する発光部を含む。制御部が、同期信号の信号構成を解析しているとき、発光部は、発光、消灯又は点滅し、制御部が信号構成の解析を行っていることを視聴者に通知するので、視聴者は眼鏡装置の動作状況を適切に把握することができる。
【０１５２】
上記構成において、前記制御部は、前記受信部が前記第１同期信号を受信したとき、前記発光部を発光させ、前記受信部が前記第２同期信号を受信したとき、前記発光部を消灯させることが好ましい。
【０１５３】
上記構成によれば、制御部は、受信部が第１同期信号を受信したとき、発光部を発光させる。また、制御部は、受信部が第２同期信号を受信したとき、発光部を消灯させる。したがって、使用者は、発光部の発光又は消灯に基づき、第１同期信号又は第２同期信号の受信を知ることができる。
【０１５４】
上記構成において、前記補助動作を行う光学フィルタ部を更に備え、前記制御部は、前記受信部が前記第１同期信号を受信したとき、前記第１制御モード下で前記光学フィルタ部を制御し、前記受信部が前記第２同期信号を受信したとき、前記第２制御モード下で前記光学フィルタ部を制御し、前記第１制御モード下で制御される前記光学フィルタ部は、前記第１同期信号の受信タイミングに基づき、前記補助動作を行い、前記第２制御モード下で制御される前記光学フィルタ部は、前記第２同期信号の受信タイミングに基づき、前記補助動作を行うことが好ましい。
【０１５５】
上記構成によれば、眼鏡装置は、補助動作を行う光学フィルタ部を更に備える。制御部は、受信部が第１同期信号を受信したとき、第１制御モード下で光学フィルタ部を制御する。制御部は、受信部が第２同期信号を受信したとき、第２制御モード下で光学フィルタ部を制御する。第１制御モード下で制御される光学フィルタ部は、第１同期信号の受信タイミングに基づき、補助動作を行う。第２制御モード下で制御される光学フィルタ部は、第２同期信号の受信タイミングに基づき、補助動作を行う。したがって、眼鏡装置は、第１同期信号及び第２同期信号に基づいて、適切に補助動作を実行することができる。
【０１５６】
上記構成において、前記制御部が、前記同期信号の前記信号構成を解析している間、前記制御部は、前記光学フィルタ部を動作させないことが好ましい。
【０１５７】
上記構成によれば、制御部が、同期信号の信号構成を解析している間、制御部は、光学フィルタ部を動作させないので、不必要な電力消費が避けられる。
【０１５８】
上記構成において、前記制御部は、前記第１同期信号の信号構成と前記第２同期信号の信号構成とに関する信号構成データを予め格納した記憶部と、前記信号構成データと前記受信部が受信した同期信号の信号構成とを比較し、前記第１制御モード及び第２制御モードのうち一方を選択する選択部と、を含むことが好ましい。
【０１５９】
上記構成によれば、記憶部は、第１同期信号の信号構成と第２同期信号の信号構成とに関する信号構成データを予め格納する。選択部は、信号構成データと受信部が受信した同期信号の信号構成とを比較し、第１制御モード及び第２制御モードのうち一方を選択するので、制御モードの切り替えが適切に実行される。
【０１６０】
上記構成において、前記信号構成データは、伝送波長帯域、伝送無線周波数、前記同期信号の周波数、前記同期信号の情報量及び前記同期信号のビット配列のうち少なくとも１つに関するデータを含むことが好ましい。
【０１６１】
上記構成によれば、信号構成データは、伝送波長帯域、伝送無線周波数、同期信号の周波数、同期信号の情報量、同期信号のビット配列のうち少なくとも１つに関するデータを含むので、選択部は、受信部が受信した同期信号の伝送波長帯域、伝送無線周波数、同期信号の周波数、同期信号の情報量、同期信号のビット配列のうち少なくとも１つの特性に基づいて、第１制御モード及び第２制御モードのうち一方を選択することができる。
【０１６２】
上記構成において、前記第２同期信号には暗号化された暗号化信号が付加され、前記選択部は、前記信号構成データと前記受信部が受信した前記同期信号の信号構成とを比較し、前記受信部が受信した前記同期信号が前記暗号化信号を含むとき、前記第２制御モードを選択し、前記受信部が受信した前記同期信号が前記暗号化信号を含まないとき、前記第１制御モードを選択することが好ましい。
【０１６３】
上記構成によれば、第２同期信号には暗号化された暗号化信号が付加される。選択部は、信号構成データと受信部が受信した同期信号の信号構成とを比較する。選択部は、受信部が受信した同期信号が暗号化信号を含むとき、第２制御モードを選択する。また、選択部は、受信部が受信した同期信号が暗号化信号を含まないとき、第１制御モードを選択する。したがって、制御部は、制御モードの切り替えを適切に実行することができる。
【０１６４】
上述の実施形態の他の局面に係る眼鏡装置の制御方法は、視聴者の左眼及び右眼への透過光量を調整し、映像を立体的に知覚させるように前記映像の視聴を補助する補助動作を行う眼鏡装置の制御方法であって、同期信号を受信する段階と、前記同期信号の信号構成を解析する段階と、前記信号構成の解析結果に基づき、前記眼鏡装置に対する制御モードを、第１制御モードと、該第１制御モードと異なる第２制御モードとの間で切り替える段階と、を備えることを特徴とする。
【０１６５】
上記構成によれば、視聴者の左眼及び右眼への透過光量を調整し、映像を立体的に知覚させるように映像の視聴を補助する補助動作を行う眼鏡装置の制御方法は、同期信号を受信する段階と、同期信号の信号構成を解析する段階と、信号構成の解析結果に基づき、眼鏡装置に対する制御モードを、第１制御モードと、該第１制御モードと異なる第２制御モードとの間で切り替える段階と、を備えるので、眼鏡装置は、異なる仕様の同期信号に対応することができる。
【産業上の利用可能性】
【０１６６】
上述の実施形態の原理は、複数種の表示装置に対応して共用される眼鏡装置に好適に利用される。
【図１】
2012081181.tif 000003
【図２】
2012081181.tif 000004
【図３】
2012081181.tif 000005
【図４】
2012081181.tif 000006
【図５】
2012081181.tif 000007
【図６】
2012081181.tif 000008
【図７】
2012081181.tif 000009
【図８】
2012081181.tif 000010
【図９】
2012081181.tif 000011
【図１０】
2012081181.tif 000012
【手続補正書】
【提出日】平成24年5月22日(2012.5.22)
【手続補正１】
【補正対象書類名】特許請求の範囲
【補正対象項目名】全文
【補正方法】変更
【補正の内容】
【特許請求の範囲】
【請求項１】
視聴者の左眼及び右眼への透過光量を調整し、映像を立体的に知覚させるように前記映像の視聴を補助する補助動作を行う眼鏡装置であって、
前記映像の表示に同期した同期信号を受信する受信部と、
前記補助動作を行うための電力の供給が開始された後、前記同期信号の信号構成を解析し、前記信号構成の解析結果に基づき、第１制御モードと、該第１制御モードと異なる第２制御モードとの間で制御モードを切り替える制御部と、を備えることを特徴とする眼鏡装置。
【請求項２】
前記受信部が、所定期間、前記同期信号を受信しないとき、前記制御部は、前記眼鏡装置をスリープモードにすることを特徴とする請求項１に記載の眼鏡装置。
【請求項３】
前記所定期間が開始される前に行われた前記同期信号の前記信号構成の解析の結果、前記制御部が前記第１制御モードを選択し、且つ、前記眼鏡装置が前記スリープモードになる前に前記受信部が前記同期信号を受信するならば、前記制御部は、前記同期信号の前記信号構成を再度解析することなく、前記第１制御モードを選択し、
前記所定期間が開始される前に行われた前記同期信号の前記信号構成の解析の結果、前記制御部が前記第２制御モードを選択し、且つ、前記眼鏡装置が前記スリープモードになる前に前記受信部が前記同期信号を受信するならば、前記制御部は、前記同期信号の前記信号構成を再度解析することなく、前記第２制御モードを選択することを特徴とする請求項２に記載の眼鏡装置。
【請求項４】
前記同期信号の受信を通知する通知部を更に備え、
前記同期信号は、第１同期信号と、該第１同期信号と異なる信号構成を有する第２同期信号と、を含み、
前記制御部は、前記受信部が前記第１同期信号を受信したとき、前記第１制御モード下で前記通知部を制御し、前記受信部が前記第２同期信号を受信したとき、前記第２制御モード下で前記通知部を制御し、
前記第１制御モード下で制御される前記通知部は、前記第２制御モード下で制御される前記通知部の動作と異なる動作をすることを特徴とする請求項１乃至３のいずれか１項に記載の眼鏡装置。
【請求項５】
前記第１同期信号は、立体映像を表示するテレビ装置又はパーソナルコンピュータから送信され、
前記第２同期信号は、映画館内で立体映像を表示する表示システムから送信されることを特徴とする請求項４に記載の眼鏡装置。
【請求項６】
前記通知部は、光を発する発光部を含み、
前記制御部が、前記同期信号の前記信号構成を解析しているとき、前記発光部は、発光、消灯又は点滅し、前記制御部が前記信号構成の解析を行っていることを視聴者に通知することを特徴とする請求項５に記載の眼鏡装置。
【請求項７】
前記制御部は、前記受信部が前記第１同期信号を受信したとき、前記発光部を発光させ、前記受信部が前記第２同期信号を受信したとき、前記発光部を消灯させることを特徴とする請求項６に記載の眼鏡装置。
【請求項８】
前記補助動作を行う光学フィルタ部を更に備え、
前記制御部は、前記受信部が前記第１同期信号を受信したとき、前記第１制御モード下で前記光学フィルタ部を制御し、前記受信部が前記第２同期信号を受信したとき、前記第２制御モード下で前記光学フィルタ部を制御し、
前記第１制御モード下で制御される前記光学フィルタ部は、前記第１同期信号の受信タイミングに基づき、前記補助動作を行い、
前記第２制御モード下で制御される前記光学フィルタ部は、前記第２同期信号の受信タイミングに基づき、前記補助動作を行うことを特徴とする請求項４乃至７のいずれか１項に記載の眼鏡装置。
【請求項９】
前記制御部が、前記同期信号の前記信号構成を解析している間、前記制御部は、前記光学フィルタ部を動作させないことを特徴とする請求項８に記載の眼鏡装置。
【請求項１０】
前記制御部は、
前記第１同期信号の信号構成と前記第２同期信号の信号構成とに関する信号構成データを予め格納した記憶部と、
前記信号構成データと前記受信部が受信した同期信号の信号構成とを比較し、前記第１制御モード及び第２制御モードのうち一方を選択する選択部と、を含むことを特徴とする請求項５乃至７のいずれか１項に記載の眼鏡装置。
【請求項１１】
前記信号構成データは、伝送波長帯域、伝送無線周波数、前記同期信号の周波数、前記同期信号の情報量及び前記同期信号のビット配列のうち少なくとも１つに関するデータを含むことを特徴とする請求項１０に記載の眼鏡装置。
【請求項１２】
前記第２同期信号には暗号化された暗号化信号が付加され、
前記選択部は、前記信号構成データと前記受信部が受信した前記同期信号の信号構成とを比較し、前記受信部が受信した前記同期信号が前記暗号化信号を含むとき、前記第２制御モードを選択し、前記受信部が受信した前記同期信号が前記暗号化信号を含まないとき、前記第１制御モードを選択することを特徴とする請求項１０に記載の眼鏡装置。
【請求項１３】
視聴者の左眼及び右眼への透過光量を調整し、映像を立体的に知覚させるように前記映像の視聴を補助する補助動作を行う眼鏡装置の制御方法であって、
同期信号を受信する段階と、
前記同期信号の信号構成を解析する段階と、
前記信号構成の解析結果に基づき、前記眼鏡装置に対する制御モードを、第１制御モードと、該第１制御モードと異なる第２制御モードとの間で切り替える段階と、を備えることを特徴とする制御方法。
【手続補正２】
【補正対象書類名】明細書
【補正対象項目名】全文
【補正方法】変更
【補正の内容】
【発明の詳細な説明】
【技術分野】
【０００１】
左眼で視聴されるように作成された左眼用映像を左眼で視聴させ、右眼で視聴されるように作成された右眼用映像を右眼で視聴させるように立体映像の視聴を補助する眼鏡装置及び眼鏡装置の制御方法に関する。
【背景技術】
【０００２】
３Ｄ映画の普及に伴って、家庭内で３Ｄ映像を視聴するための表示装置が開発並びに市販されている。３Ｄ映像用の表示装置は、典型的には、フレームシーケンシャル方式（時分割方式とも称される）を採用し、左眼で視聴されるように作成された左眼用映像と右眼で視聴されるように作成された右眼用映像とを時間的に交互に切り替えて表示する。
【０００３】
フレームシーケンシャル方式或いは時分割方式を採用する表示装置として、映画館で用いられるプロジェクタや家庭内で用いられるテレビ装置やパーソナルコンピュータのディスプレイ装置が挙げられる。これらの３Ｄ表示装置は、左眼用映像と右眼用映像とを時間的に交互に切り替えて表示する。視聴者は、眼鏡装置（一般的に、３Ｄアクティブシャッタ眼鏡と称される）を介して、３Ｄ表示装置が表示する映像を視聴する。
【０００４】
表示装置は、左眼用映像の表示及び／又は右眼用映像の表示に同期する同期信号を送信する。同期信号として、例えば、赤外（ＩＲ）信号や無線（ＲＦ）信号が用いられる。同期信号を受信した眼鏡装置は、左眼用映像の表示に同期して、左眼前に配設された左シャッタを開く一方で、右眼前に配設された右シャッタを閉じる。また、眼鏡装置は、右眼用映像の表示に同期して、右シャッタを開く一方で、左シャッタを閉じる。かくして、左眼用映像からの光は左眼のみに透過し、右眼用映像からの光は右眼のみに透過する。
【０００５】
眼鏡装置の左シャッタ及び右シャッタとして、典型的には、液晶シャッタが用いられる。左右の液晶シャッタは、同期信号の受信に応じて開閉する。表示装置から送信される同期信号は、左眼用映像及び右眼用映像の表示に同期して左右の液晶シャッタを開閉させる時刻（タイミング）を眼鏡装置に通知するために用いられる（例えば、特許文献１又は特許文献２参照）。
【０００６】
現状において、３Ｄ映画を上映する映画館で用いられている眼鏡装置（以下、劇場用眼鏡装置と称される）及び３Ｄ映像を表示可能な家庭用のテレビ装置や家庭用のパーソナルコンピュータのディスプレイ装置（以下、３Ｄディスプレイ装置と称される）に用いられる眼鏡装置（以下、家庭用眼鏡装置と称される）は、異なる仕様に基づき製造されている。したがって、使用者は、単一の眼鏡装置を用いて、映画館で上映される３Ｄ映画及び家庭用の３Ｄディスプレイ装置が表示する３Ｄ映像のうち一方しか視聴することができない。
【０００７】
使用者は、家庭用の眼鏡装置を購入するときに、様々な眼鏡装置を実際に装着し、最もフィット感のよい眼鏡装置を選択することができる。一方で、劇場用の眼鏡装置は、多くの人に適合するように設計されているため、実際に使用する使用者にとって必ずしも良好なフィット感をもたらすものではない。使用者が、自身の顔に適切にフィットしない眼鏡装置を着用して劇場で映像を視聴するならば、使用者は上映される映像に十分に集中できないこともある。
【０００８】
使用者が、自身が購入した眼鏡装置を劇場で使用できるならば、使用者は、劇場で映像を快適に視聴することができるが、上述の如く、現状において、同期信号に関する共通する或いは統一された仕様は存在しない。劇場用の３Ｄ表示装置及び家庭用の３Ｄ表示装置は、互いに異なる仕様（異なるコード、異なる送信タイミング）で同期信号を眼鏡装置に送信している。眼鏡装置も、送信される同期信号の仕様に合わせて、シャッタが開閉されるようにそれぞれ固有にプログラムされている。
【０００９】
視聴者に提供される画質の維持や既存の装置との互換性の観点から、既存の３Ｄ表示装置及びこれに対応する眼鏡装置に基づき最適化された同期信号のコードやタイミングの変更は好ましくない。したがって、劇場用及び家庭用でそれぞれ固有に用いられている同期信号の仕様の変更は、現状において困難である。
【先行技術文献】
【特許文献】
【００１０】
【特許文献１】特開平１１−９８５３８号公報
【特許文献２】特開２０００−３６９６９号公報
【発明の概要】
【発明が解決しようとする課題】
【００１１】
本発明は、異なる仕様の同期信号に基づき適切に動作する眼鏡装置及び異なる仕様の同期信号に基づき眼鏡装置を適切に制御するための制御方法を提供することを目的とする。
【課題を解決するための手段】
【００１２】
本発明の一局面に係る眼鏡装置は、視聴者の左眼及び右眼への透過光量を調整し、映像を立体的に知覚させるように前記映像の視聴を補助する補助動作を行う眼鏡装置であって、前記映像の表示に同期した同期信号を受信する受信部と、前記電源部が前記電力の供給を開始した後、前記同期信号の信号構成を解析し、前記信号構成の解析結果に基づき、第１制御モードと、該第１制御モードと異なる第２制御モードとの間で制御モードを切り替える制御部と、を備えることを特徴とする。
【００１３】
本発明の他の局面に係る眼鏡装置の制御方法は、視聴者の左眼及び右眼への透過光量を調整し、映像を立体的に知覚させるように前記映像の視聴を補助する補助動作を行う眼鏡装置の制御方法であって、同期信号を受信する段階と、前記同期信号の信号構成を解析する段階と、前記信号構成の解析結果に基づき、前記眼鏡装置に対する制御モードを、第１制御モードと、該第１制御モードと異なる第２制御モードとの間で切り替える段階と、を備えることを特徴とする。
【発明の効果】
【００１４】
本発明は、異なる仕様の同期信号に基づき適切に動作する眼鏡装置及び異なる仕様の同期信号に基づき眼鏡装置を適切に制御するための制御方法を提供することができる。
【００１５】
本発明の目的、特徴及び利点は、以下の詳細な説明と添付図面とによって、より明白となる。
【図面の簡単な説明】
【００１６】
【図１】一実施形態に従う眼鏡装置の使用環境を例示する模式図である。
【図２】図１に示される眼鏡装置の概略的な斜視図である。
【図３】図１に示される眼鏡装置並びに表示装置の概略的なハードウェア構成を示すブロック図である。
【図４】図３に示されるブロック図に対応する表示装置の概略的な機能構成を示すブロック図である。
【図５】図３に示されるブロック図に対応する眼鏡装置の概略的な機能構成を示すブロック図である。
【図６】図１に示される表示装置による映像の表示、同期信号の送信及び眼鏡装置の補助動作の間の同期を例示する概略的なタイミングチャートである。
【図７】図２に示される眼鏡装置の動作を概略的に示す概念図である。
【図８】図７に示される動作中における眼鏡装置のＬＥＤの明滅を概略的に示す概念図である。
【図９】図７に示される動作がまとめられた概略的なフローチャートである。
【図１０】図９に示されるフローチャートに従って、ＴＶ装置と劇場において用いられる表示装置との識別手法を概略的に示すフローチャートである。
【発明を実施するための形態】
【００１７】
以下、一実施形態に従う眼鏡装置及び眼鏡装置の制御方法が、添付の図面を参照して説明される。尚、図面に示される構成、配置或いは形状等並びに図面に関連する記載は、単に眼鏡装置及び眼鏡装置の制御方法の原理を容易に理解させることを目的とするものであり、眼鏡装置及び眼鏡装置の制御方法の原理を何ら限定するものではない。
【００１８】
（眼鏡装置の構成）
図１は、眼鏡装置が使用される環境を概略的に示す模式図である。図１を用いて、眼鏡装置の使用環境が説明される。
【００１９】
眼鏡装置５００は、例えば、家庭用の表示装置６００ａが表示する立体映像及び劇場用の表示装置６００ｂが表示する立体映像をともに視聴者が視聴できるように形成される。家庭用の表示装置６００ａは、第１同期信号を眼鏡装置５００に送信する。劇場用の表示装置６００ｂは、第２同期信号を眼鏡装置５００に送信する。眼鏡装置５００は、後述される制御モードの切り替えを通じて、第１同期信号又は第２同期信号に基づき、立体映像の視聴を補助する補助動作を実行する。
【００２０】
家庭用の表示装置６００ａとして、テレビ装置やパーソナルコンピュータが備えるディスプレイ装置が例示される。代替的に、比較的明るい環境下（例えば、５０ｌｘ以上２００ｌｘ以下の環境下）で立体映像を表示する他の表示装置が、第１同期信号を送信する表示装置として用いられてもよい。
【００２１】
劇場用の表示装置６００ｂとして、映画館内で立体映像を表示する表示システム（例えば、プロジェクタ）が例示される。代替的に、比較的暗い環境下で立体映像を表示する及び／又は多人数で視聴される立体映像を表示する他の表示装置が、第２同期信号を送信する表示装置として用いられてもよい。
【００２２】
以下の説明において、家庭用の表示装置６００ａ及び劇場用の表示装置６００ｂは、「表示装置６００」と総称される。表示装置６００は、左眼で視聴されるように作成された左眼用映像（以下、Ｌ映像と称される）と右眼で視聴されるように作成された右眼用映像（以下、Ｒ映像と称される）とを交互に表示する。
【００２３】
表示装置６００ａは、Ｌ映像及びＲ映像の表示に同期して、第１同期信号を眼鏡装置５００へ送信する。表示装置６００ｂは、Ｌ映像及びＲ映像の表示に同期して、第２同期信号を眼鏡装置５００へ送信する。
【００２４】
以下の説明において、第１同期信号及び第２同期信号は、「同期信号」と総称される。本実施形態において、同期信号として、赤外（ＩＲ）信号が用いられる。代替的に、同期信号として、無線（ＲＦ）信号や表示装置６００と眼鏡装置５００との通信を成立させることができる他の信号が用いられてもよい。
【００２５】
第１同期信号及び第２同期信号は、異なるプロトコルを有する。本実施形態の説明で用いられる「プロトコル」との用語は、同期信号を送信する送信装置と同期信号を受信する受信装置との間で予め定められた信号構成を意味する。本実施形態において、送信装置は、表示装置６００に相当する。また、受信装置は、眼鏡装置５００に相当する。
【００２６】
プロトコルとして、同期信号の伝送波長帯域、伝送無線周波数、同期信号の周波数、同期信号の情報量、同期信号のビット配列、同期信号に付加された暗号化信号の有無が例示される。眼鏡装置５００は、第１同期信号と第２同期信号との間のプロトコルの相違に基づき、異なる動作を実行する。
【００２７】
図２は、眼鏡装置５００の概略的な斜視図である。図１及び図２を用いて、眼鏡装置５００が説明される。
【００２８】
眼鏡装置５００は、全体として、視力矯正用眼鏡と略同様の形状をなす。眼鏡装置５００は、光学フィルタ部２２４を備える。光学フィルタ部２２４は、眼鏡装置５００が装着されたときに視聴者の左眼前に位置するＬ光学フィルタ２４１と、視聴者の右眼前に位置するＲ光学フィルタ２４２とを含む。眼鏡装置５００は、Ｌ光学フィルタ２４１を用いて左眼に透過する映像の光の量を調整するとともに、Ｒ光学フィルタ２４２を用いて右眼に透過する映像の光の量を調整する。映像の光の量に対する調整は、表示装置６００によるＬ映像及びＲ映像の表示に同期する。視聴者は、左眼と右眼とで視聴する映像から視差を感知し、表示装置６００が表示する映像を立体的な映像として知覚する。眼鏡装置５００の光量の調整動作は、以下の説明において、「補助動作」と称される。
【００２９】
眼鏡装置５００は、Ｌ光学フィルタ２４１とＲ光学フィルタ２４２との間に配設される受光素子２２３を備える。受光素子２２３は、上述の同期信号を受信する。尚、同期信号として、ＲＦ信号が用いられるならば、眼鏡装置５００は、受光素子２２３に代えて、ＲＦ信号を受信するための適切な素子を備えてもよい。本実施形態において、受光素子２２３は、受信部として例示される。
【００３０】
眼鏡装置５００は、光学フィルタ部２２４及び受光素子２２３を保持する保持部２５１と、保持部２５１から視聴者の耳に向けて延びるアーム部２５２とを含む。保持部２５１及びアーム部２５２内には、眼鏡装置５００の様々な要素（後述される）が組み込まれている。
【００３１】
眼鏡装置５００は、アーム部２５２上に現れるスライド式のスイッチ部２５３と、アーム部２５２内に着脱自在に取り付けられる電池（図示せず）と、を更に備える。視聴者は、スイッチ部２５３をアーム部２５２上で摺動させ、電池から眼鏡装置５００の様々な要素への電力供給のオン・オフを切り替えることができる。眼鏡装置５００は、電池からの電力によって、上述の補助動作を実行することができる。本実施形態において、スイッチ部２５３及び電池は電源部として例示される。
【００３２】
眼鏡装置５００は、アーム部２５２上に現れるＬＥＤ２５４を更に備える。ＬＥＤ２５４は、同期信号の受信に応じて、点灯或いは消灯してもよい。視聴者は、必要に応じて、眼鏡装置５００を顔から外し、ＬＥＤ２５４の点灯或いは消灯を確認し、眼鏡装置５００と表示装置６００との間の通信状態（例えば、第１同期信号又は第２同期信号の受信状態）を知ることができる。尚、ＬＥＤ２５４は、外向きに発光するので、眼鏡装置５００を装着した視聴者はＬＥＤ２５４の発光をほとんど知覚しない。ＬＥＤ２５４は更に、スイッチ部２５３が操作され、眼鏡装置５００の様々な要素への電力供給が開始されたとき、点灯或いは消灯してもよい。本実施形態において、ＬＥＤ２５４は、通知部として例示される。
【００３３】
図３は、表示装置６００及び眼鏡装置５００のハードウェア構成を示す。図１乃至図３を用いて、表示装置６００及び眼鏡装置５００のハードウェア構成が説明される。
【００３４】
不必要に冗長な説明を避けるために、家庭用の表示装置６００ａ及び劇場用の表示装置６００ｂは、共通するハードウェア構成を有する。図３に示される表示装置６００のハードウェア構成は、例示的なものであり、家庭用の表示装置６００ａ及び劇場用の表示装置６００ｂは、異なるハードウェア構成を有してもよい。
【００３５】
表示装置６００は、復号ＩＣ２００、映像信号処理ＩＣ２０１、送信制御ＩＣ２０２、ＣＰＵ２０３、メモリ２０４、クロック２０５、ディスプレイユニット２０６及び発光素子２０７を備える。
【００３６】
復号ＩＣ２００は、入力される符号化された映像信号を復号化して映像データを所定の様式で出力する。映像の符号化として、ＭＰＥＧ（Motion Picture Experts Group）−２、ＭＰＥＧ−４やＨ２６４が例示される。
【００３７】
映像信号処理ＩＣ２０１は、立体映像の表示に関する信号処理を行う。映像信号処理ＩＣ２０１は、映像信号の処理を実行し、復号ＩＣ２００からの映像データを立体映像として表示する。代替的に、映像信号処理ＩＣ２０１は、復号ＩＣ２００で復号された映像データからＬ映像とＲ映像とを検出し、検出されたＬ映像とＲ映像とが時間的に交互に表示されてもよい。更に代替的に、復号ＩＣ２００が出力した映像データからＬ映像とＲ映像とが自動的に生成され、映像信号処理ＩＣ２０１は、生成された左眼用及び右眼用の映像をディスプレイユニット２０６に交互に出力してもよい。立体映像の表示に関する信号処理を行なった後、映像信号処理ＩＣ２０１は、ディスプレイユニット２０６の信号入力方式に適合した出力信号を生成する。
【００３８】
尚、映像信号処理ＩＣ２０１は、上記の処理以外の処理を実行してもよい。映像信号処理ＩＣ２０１は、例えば、ディスプレイユニット２０６の特性に応じて、表示される映像の色彩を調整する処理を実行してもよい。更に、映像信号処理ＩＣ２０１は、復号ＩＣ２００で生成された映像データのフレーム間の映像を補間し、映像のフレームレートを上げてもよい。
【００３９】
送信制御ＩＣ２０２は、映像信号処理ＩＣ２０１が生成したＬ映像及びＲ映像と同期する同期信号を生成し、生成された同期信号を発光素子２０７へ出力する。
【００４０】
ＣＰＵ２０３は、表示装置６００全体を制御する。ＣＰＵ２０３は、メモリ２０４に記録されたプログラム及び外部からの入力（図示せず）に従って、表示装置６００の様々な要素（例えば、復号ＩＣ２００や映像信号処理ＩＣ２０１）を制御する。
【００４１】
メモリ２０４は、ＣＰＵ２０３が実行するプログラムやプログラム実行時に発生する一時データを記録する領域として利用される。メモリ２０４として、揮発性のＲＡＭ（Random  Access  Memory）や不揮発性のＲＯＭ（Read  Only  Memory）が例示される。
【００４２】
クロック２０５は、ＣＰＵ２０３や他の構成部品へ各ＩＣの動作基準となるクロック信号を供給する。
【００４３】
家庭用の表示装置６００ａに用いられるディスプレイユニット２０６には、映像信号処理ＩＣ２０１から出力された映像信号が表示される。ディスプレイユニット２０６に対して、例えば、ＣＲＴ方式、液晶素子を用いたＬＣＤ、ＰＤＰ、有機エレクトロルミネッセンスを用いた表示方式が適用される。劇場用の表示装置６００ｂに用いられるディスプレイユニット２０６として、プロジェクタ及びプロジェクタから映像を投影されるスクリーンが例示される。映像信号処理ＩＣ２０１から出力された映像信号はプロジェクタに出力される。プロジェクタは、映像信号に基づき生成された映像をスクリーンに投影する。
【００４４】
発光素子２０７は、送信制御ＩＣ２０２による制御の下、同期信号として用いられる赤外線を出力する。本実施形態において、表示装置６００は、赤外線を発光する発光素子２０７を用いて、同期信号を出力する。代替的に、表示装置６００は、無線信号や他の信号を用いて、眼鏡装置５００との同期を達成してもよい。
【００４５】
眼鏡装置５００は、ＣＰＵ２２０、メモリ２２１、クロック２２２、受光素子２２３、光学フィルタ部２２４、ＬＥＤ２５４、スイッチ部２５３及び電池２５５を備える。
【００４６】
ＣＰＵ２２０は、メモリ２２１に記録されたプログラムや外部からの入力信号（例えば、上述の同期信号）に従って、眼鏡装置５００全体を制御する。本実施形態において、ＣＰＵ２２０は、電池２５５からの電力供給が開始された後、同期信号（第１同期信号及び第２同期信号）のプロトコルを解析する。ＣＰＵ２２０は、プロトコルの解析結果に基づき、第１制御モードと、第１制御モードと異なる第２制御モードとの間で眼鏡装置５００に対する制御を切り替える。制御モードの切り替えは、後述される。
【００４７】
メモリ２２１は、ＣＰＵ２２０が実行するプログラムのデータの記録や、プログラム実行時の一時データを保持する場所として用いられる。また、メモリ２２１は、第１同期信号のプロトコル及び第２同期信号のプロトコルに関するデータを予め格納する。本実施形態において、メモリ２２１は、記憶部として例示される。第１同期信号のプロトコル及び第２同期信号のプロトコルに関するデータは、第１同期信号の信号構成と第２同期信号の信号構成とに関する信号構成データとして例示される。第１同期信号のプロトコル及び第２同期信号のプロトコルに関するデータは、例えば、同期信号の伝送波長帯域、伝送無線周波数、同期信号の周波数、同期信号の情報量、同期信号のビット配列及び／又は同期信号に付加された暗号化信号の有無に関するデータであってもよい。
【００４８】
ＣＰＵ２２０は、受光素子２２３が受信した同期信号のプロトコルと、第１同期信号のプロトコル及び第２同期信号のプロトコルに関するデータとを比較する。受光素子２２３が受信した同期信号のプロトコルがメモリ２２１に格納された第１同期信号のプロトコルに合致するならば、ＣＰＵは、第１制御モードで、眼鏡装置５００を制御する。受光素子２２３が受信した同期信号のプロトコルがメモリ２２１に格納された第２同期信号のプロトコルに合致するならば、ＣＰＵ２２０は、第２制御モードで、眼鏡装置５００を制御する。本実施形態において、ＣＰＵ２２０は、選択部として例示される。また、ＣＰＵ２２０及びメモリ２２１は、制御部として例示される。
【００４９】
クロック２２２は、眼鏡装置５００の様々な要素（例えば、ＣＰＵ２２０）へ、動作の基準となるクロック信号を供給する。クロック信号は、必要に応じて分周、逓倍したものであってもよい。
【００５０】
受光素子２２３は、表示装置６００が発光素子２０７から送信した同期信号を受信する。
【００５１】
光学フィルタ部２２４は、眼鏡装置５００を着用した視聴者の左眼及び右眼の前方に位置し、左眼及び右眼へ透過する光の量を調整する補助動作を実行する。光学フィルタ部２２４は、ＣＰＵ２２０の制御の下、左眼に対する動作と右眼に対する補助動作を適切に行い、眼鏡装置５００の着用者に表示装置６００が表示する映像を立体的に知覚させる。
【００５２】
ＣＰＵ２２０が第１制御モードを選択するとき、ＣＰＵ２２０は、第１制御モード下で、光学フィルタ部２２４を制御する。第１制御モード下で制御される光学フィルタ部２２４は、第１同期信号の受信タイミングに基づき補助動作を行う。ＣＰＵ２２０が第２制御モードを選択するとき、ＣＰＵ２２０は、第２制御モード下で、光学フィルタ部２２４を制御する。第２制御モード下で制御される光学フィルタ部２２４は、第２同期信号の受信タイミングに基づき補助動作を行う。
【００５３】
電池２５５は、ＣＰＵ２２０、受光素子２２３、光学フィルタ部２２４、ＬＥＤ２５４、メモリ２２１及びクロック２２２へ電力を供給する。
【００５４】
スイッチ部２５３は、上述の如く、視聴者の操作を通じて、電池２５５からの電力供給の開始及び停止を切り替える。
【００５５】
ＬＥＤ２５４は、発光或いは消灯し、視聴者に同期信号の通信状態を通知する。ＬＥＤ２５４の明滅は、ＣＰＵ２２０の制御下で行われる。ＣＰＵ２２０が第１制御モードを選択するとき、ＣＰＵ２２０は、第１制御モード下で、ＬＥＤ２５４を制御する。ＣＰＵ２２０が第２制御モードを選択するとき、ＣＰＵ２２０は、第２制御モード下で、ＬＥＤ２５４を制御する。第１制御モード下のＬＥＤ２５４は、第２制御モード下で制御されるＬＥＤ２５４とは異なる動作を実行する。第１制御モード及び第２制御モード下で制御されるＬＥＤ２５４の動作は、後述される。
【００５６】
ＣＰＵ２２０は、眼鏡装置５００内の電力供給を更に制御してもよい。ＣＰＵ２２０は、例えば、クロック２２２からのクロック信号に基づき、同期信号が受信されない不受信期間を測定する。不受信期間が所定の閾値を超えたとき、眼鏡装置５００をスリープモードにしてもよい。スリープモードにおいて、例えば、受光素子２２３、ＬＥＤ２５４及び光学フィルタ部２２４への電力供給は停止される。この結果、電池２５５の寿命が延びることとなる。本実施形態において、スリープモードとは、視聴者による手動操作を経ることなく、眼鏡装置５００が動作しない状態を意味する。
【００５７】
図４は、表示装置６００の機能構成図を示す。図３及び図４を用いて、表示装置６００の機能構成が説明される。尚、不必要に冗長な説明を避けるために、家庭用の表示装置６００ａ及び劇場用の表示装置６００ｂは、共通する機能構成を有する。図４に示される表示装置６００の機能構成は、例示的なものであり、家庭用の表示装置６００ａ及び劇場用の表示装置６００ｂは、異なる機能構成を有してもよい。
【００５８】
表示装置６００は、映像復号部３００、Ｌ／Ｒ信号分離部３０１、立体信号処理部３０２、表示部３０３、同期信号生成部３０４、送信制御部３０５及び送信部３０６を備える。
【００５９】
映像復号部３００には、符号化された映像信号が入力される。映像復号部３００は、符号化された映像信号を復号する。図３に示されるハードウェア構成においては、映像復号部３００は、復号ＩＣ２００に該当する。
【００６０】
Ｌ／Ｒ信号分離部３０１は、映像復号部３００が復号した映像信号から左眼用及び右眼用の映像信号を生成若しくは分離する。
【００６１】
立体信号処理部３０２は、眼鏡装置５００を通じて視認される映像を表示する表示部３０３の特性等に応じて、Ｌ／Ｒ信号分離部３０１で分離されたＬ映像及びＲ映像の信号を調整する。立体信号処理部３０２は、例えば、表示部３０３の表示面の大きさに応じて、Ｌ映像及びＲ映像の視差を調整する処理を実行する。
【００６２】
同期信号生成部３０４は、Ｌ／Ｒ信号分離部３０１が生成した左眼用及び右眼用の映像と同期又は対応した同期信号を生成する。この際、表示部３０３の特性に応じて、生成される同期信号の種類や生成タイミングが調整される。
【００６３】
Ｌ／Ｒ信号分離部３０１、立体信号処理部３０２並びに同期信号生成部３０４は、図３に示されるハードウェア構成において、映像信号処理ＩＣ２０１に該当する。
【００６４】
表示部３０３は、立体信号処理部３０２によって処理された映像信号を映像として表示する。上述の如く、図３に示されるハードウェア構成において、表示部３０３は、ディスプレイユニット２０６に該当する。
【００６５】
送信部３０６は、同期信号生成部３０４で生成された同期信号を、送信制御部３０５（後述される）の制御下で、眼鏡装置５００へ送信する。送信部３０６は、図３に示されるハードウェア構成において、発光素子２０７に該当する。
【００６６】
送信制御部３０５は、送信される同期信号のデータ量や送信間隔を制御する。送信制御部３０５は、図３に示されるハードウェア構成において、送信制御ＩＣ２０２に該当する。
【００６７】
図５は、眼鏡装置５００の機能構成図を示す。図３及び図５を用いて、眼鏡装置５００の機能構成が説明される。
【００６８】
眼鏡装置５００は、受信部４００、検出部４０１、解析部４０２、記憶部４０３、内部信号生成部４０４、光学フィルタ制御部４０５、光学フィルタ部２２４、発光部４５１及び電源部４５２を備える。
【００６９】
受信部４００は、表示装置６００から送信された同期信号（赤外信号）を受信する。受信部４００は、受光した赤外線に応じて、電気信号を検出部４０１へ出力する。図３に示されるハードウェア構成においては、受信部４００は、受光素子２２３に該当する。
【００７０】
検出部４０１は、受信部４００が受信した赤外線から生成した同期信号（電気信号）を検出する。同期信号は、所定の電気波形を持つ信号として検出される。
【００７１】
解析部４０２は、検出部４０１が検出した同期信号に基づいて、光学フィルタ部２２４を動作させるために用いられる時間間隔の情報を解析する。光学フィルタ部２２４を動作させるための情報（時間間隔情報）とは、例えば、Ｌ光学フィルタ２４１及びＲ光学フィルタ２４２の開閉タイミングの情報を意味する。本実施形態において、解析部４０２は、電池２５５からの電力供給が開始された後、同期信号（第１同期信号及び第２同期信号）のプロトコルを更に解析する。プロトコルの解析結果に基づき、解析部４０２は、第１制御モードと、第１制御モードと異なる第２制御モードとの間で眼鏡装置５００に対する制御を切り替える。制御モードの切り替えは、後述される。本実施形態において、解析部４０２は選択部として例示される。
【００７２】
検出部４０１及び解析部４０２は、図３に示されるハードウェア構成において、ＣＰＵ２２０が実行するプログラムの一部に該当する。
【００７３】
記憶部４０３は、解析部４０２が同期信号に基づいて解析した光学フィルタ部２２４の動作内容に関する制御情報を記録・保持する。また、記憶部４０３は、第１同期信号のプロトコル及び第２同期信号のプロトコルに関するデータを予め格納する。図３に示されるハードウェア構成において、記憶部４０３は、メモリ２２１に該当する。ＣＰＵ２２０は、制御情報をメモリ２２１に記録する。解析部４０２及び記憶部４０３は、制御部として例示される。
【００７４】
内部信号生成部４０４は、記憶部４０３に記録された同期情報、又は、解析部４０２が解析した同期情報に基づいて、眼鏡装置５００の内部で自走用の同期信号を生成する。受信部４００が、所定期間、表示装置６００からの同期信号を受信しない間、光学フィルタ部２２４は、内部信号生成部４０４が生成した自走用の同期信号に基づいて、補助動作を実行することができる。
【００７５】
内部信号生成部４０４は、解析部４０２が選択した制御モード（第１制御モード又は第２制御モード）に応じて、発光部４５１の発光或いは消灯を制御するための明滅信号を生成する。発光部４５１は、内部信号生成部４０４が生成した明滅信号に基づいて、点灯、消灯或いは点滅する。内部信号生成部４０４は、図３に示されるハードウェア構成において、ＣＰＵ２２０とクロック２２２に該当する。
【００７６】
光学フィルタ制御部４０５は、眼鏡装置５００のＬ光学フィルタ２４１及びＲ光学フィルタ２４２の動作制御（例えば、光学フィルタ部２２４を透過する光の量を調整するための制御）を行なう。光学フィルタ制御部４０５は、図３に示されるハードウェア構成において、ＣＰＵ２２０が実行する光学フィルタ制御用のプログラムに該当する。
【００７７】
光学フィルタ部２２４は、Ｌ光学フィルタ２４１及びＲ光学フィルタ２４２を備える。Ｌ光学フィルタ２４１及びＲ光学フィルタ２４２として、透過光量を調整するフィルタや、透過する光の偏光を調整するフィルタといった様々な光学素子が例示される。本実施形態において、Ｌ光学フィルタ２４１及びＲ光学フィルタ２４２として、液晶素子を用いた液晶シャッタが用いられる。液晶シャッタの開閉動作を通じて、左眼及び右眼への透過光量が増減される。
【００７８】
上述の如く、表示装置６００に表示される映像は、Ｌ映像とＲ映像とを含む。表示装置６００は、Ｌ映像とＲ映像とを時間的に交互に切り替えて表示する。光学フィルタ部２２４のＬ光学フィルタ２４１とＲ光学フィルタ２４２は、透過光量を交互に増減する。代替的に、光学フィルタ部は、映像光の偏光方向を変えてもよい。映像フレームの表示の切り替えと同期して、左眼及び右眼への透過光量を調整することができる様々な光学素子が、光学フィルタ部に適用可能である。
【００７９】
発光部４５１は、上述の如く、内部信号生成部４０４が生成した明滅信号に基づいて、点灯、消灯或いは点滅する。発光部４５１は、図３に示されるハードウェア構成において、ＬＥＤ２５４に相当する。
【００８０】
電源部４５２は、受信部４００、検出部４０１、解析部４０２、記憶部４０３、内部信号生成部４０４、光学フィルタ制御部４０５、光学フィルタ部２２４及び発光部４５１が動作するための電力を供給する。電源部４５２は、図３に示されるハードウェア構成において、スイッチ部２５３及び電池２５５に相当する。
【００８１】
（同期信号）
図６は、表示装置６００の映像の表示、同期信号の送信及び光学フィルタ部２２４の補助動作の間の同期を概略的に示すタイミングチャートである。図１乃至図６を用いて、表示装置６００の映像の表示、同期信号の送信及び光学フィルタ部２２４の補助動作の間の同期が説明される。
【００８２】
図６のセクション（ａ）は、表示装置６００が表示する映像を示す。図６のセクション（ａ）に示される如く、表示装置６００は、Ｌ映像とＲ映像とを時間的に交互に切り替えて表示する。
【００８３】
図６のセクション（ｂ）は、家庭用の表示装置６００ａから送信される第１同期信号を示す。図６のセクション（ｃ）は、劇場用の表示装置６００ｂから送信される第２同期信号を示す。
【００８４】
家庭用の表示装置６００ａから送信される第１同期信号は、Ｌ映像の表示の開始に同期して出力されるパルスＬＰ１と、Ｒ映像の表示の開始に同期して出力されるＲＰ１とを含む。
【００８５】
劇場用の表示装置６００ｂから送信される第２同期信号は、Ｌ映像の表示の開始に同期して出力されるパルスＬＰ２と、Ｒ映像の表示の開始に同期して出力されるＲＰ２とを含む。第１同期信号のパルスＬＰ１，ＲＰ１と異なり、第２同期信号のパルスＬＰ２，ＲＰ２には、同期情報に付加される付加情報が暗号化された暗号化信号が付加されている。眼鏡装置５００は、付加情報に基づく様々な動作を実行してもよい。
【００８６】
以下の説明において、暗号化信号が付加されていない第１同期信号のパルスＬＰ１，ＲＰ１の信号構成は、「第１プロトコル」と称される。暗号化信号が付加された第２同期信号のパルスＬＰ２，ＲＰ２の信号構成は、「第２プロトコル」と称される。
【００８７】
図３に関連して説明されたメモリ２２１或いは図５に関連して説明された記憶部４０３には、第１プロトコル及び第２プロトコルに関する情報が予め格納されている。本実施形態において、第１プロトコル及び第２プロトコルに関する情報は、信号構成データとして例示される。
【００８８】
図３に関連して説明されたＣＰＵ２２０或いは図５に関連して説明された解析部４０２は、受信された同期信号のパルスに暗号化信号が付加されているか否かを判定する。同期信号のパルスに暗号化信号が付加されていないならば、ＣＰＵ２２０又は解析部４０２は、第１制御モードを選択する。同期信号のパルスに暗号化信号が付加されているならば、ＣＰＵ２２０又は解析部４０２は、第２制御モードを選択する。第１制御モード及び第２制御モードは、後述される。
【００８９】
図６のセクション（ｄ）は、Ｌ光学フィルタ２４１を通じて左眼へ透過する光量の増減を概略的に表す。図６のセクション（ｅ）は、Ｒ光学フィルタ２４２を通じて右眼へ透過する光量の増減を概略的に表す。
【００９０】
図３に関連して説明されたメモリ２２１或いは図５に関連して説明された記憶部４０３は、第１同期信号のパルスＬＰ１の信号構成又は第２同期信号のパルスＬＰ２の信号構成に対応して、Ｌ光学フィルタ２４１として用いられる液晶シャッタを開き、Ｒ光学フィルタ２４２として用いられる液晶シャッタを閉じるためのコマンドプログラムを格納する。第１同期信号のパルスＬＰ１又は第２同期信号のパルスＬＰ２が受信されると、図３に関連して説明されたＣＰＵ２２０或いは図５に関連して説明された光学フィルタ制御部４０５は、Ｌ光学フィルタ２４１として用いられる液晶シャッタを開き、Ｒ光学フィルタ２４２として用いられる液晶シャッタを閉じる。この結果、Ｌ映像の表示の開始に同期して、左眼への映像光の透過光量が増大する一方で、右眼への映像光の透過光量が減少する。
【００９１】
図３に関連して説明されたメモリ２２１或いは図５に関連して説明された記憶部４０３は、第１同期信号のパルスＲＰ１の信号構成又は第２同期信号のパルスＲＰ２の信号構成に対応して、Ｌ光学フィルタ２４１として用いられる液晶シャッタを閉じ、Ｒ光学フィルタ２４２として用いられる液晶シャッタを開くためのコマンドプログラムを格納する。第１同期信号のパルスＲＰ１又は第２同期信号のパルスＲＰ２が受信されると、図３に関連して説明されたＣＰＵ２２０或いは図５に関連して説明された光学フィルタ制御部４０５は、Ｌ光学フィルタ２４１として用いられる液晶シャッタを閉じ、Ｒ光学フィルタ２４２として用いられる液晶シャッタを開く。この結果、Ｒ映像の表示の開始に同期して、左眼への映像光の透過光量が減少する一方で、右眼への映像光の透過光量が増大する。
【００９２】
（眼鏡装置の動作）
図７は、眼鏡装置５００の動作を概略的に示す概念図である。図８は、眼鏡装置５００のＬＥＤ２５４（又は、発光部４５１）の明滅を概略的に示す概念図である。図２、図３、図５乃至図８を用いて、眼鏡装置５００の動作が説明される。
【００９３】
図８には、オフ状態（オフモード）、アクティブ状態（アクティブモード）及びスリープ状態（スリープモード）の３つの眼鏡装置５００の動作状態が示されている。眼鏡装置５００の動作は、視聴者の操作及び同期信号の受信に応じて、３つの動作状態間で変化する。
【００９４】
（オフ状態からアクティブ状態）
オフ状態において、スイッチ部２５３は、「オフ」の位置に設定されている。したがって、電池２５５からＬＥＤ２５４、ＣＰＵ２２０、光学フィルタ部２２４や受光素子２２３といった要素への電力供給は停止されている。したがって、ＬＥＤ２５４は消灯されている。図８（下段）において、ＬＥＤ２５４の消灯は、黒帯線で示されている。
【００９５】
視聴者が、スイッチ部２５３を、「オン」の位置へスライドさせると、ＬＥＤ２５４は、例えば、２秒間、点灯する。図８（上段）において、ＬＥＤ２５４の点灯は、白帯線で示されている。ＬＥＤ２５４の２秒間の連続的な点灯によって、視聴者は眼鏡装置５００に電力の供給がなされたことを確認することができる。
【００９６】
上述のスイッチ部２５３の操作によって、図３及び図５に関連して説明された眼鏡装置５００の様々な要素（例えば、ＣＰＵ２２０、ＬＥＤ２５４や光学フィルタ部２２４）は、動作可能な状態（アクティブ状態）となる。
【００９７】
（アクティブ状態）
アクティブ状態の眼鏡装置５００の動作は、プロトコルチェックモード、第１制御モード及び第２制御モードを含む。
【００９８】
（プロトコルチェックモード）
上述の如く、スイッチ部２５３が操作され、眼鏡装置５００がアクティブ状態となると、眼鏡装置５００の動作は、プロトコルチェックモードに入る。スイッチ部２５３が「オン」の位置にスライドされているので、受光素子２２３（受信部４００）は、電池２５５からの電力供給を受け、表示装置６００からの同期信号を受信可能である。
【００９９】
プロトコルチェックモードにおいて、眼鏡装置５００は、検出部４０１が同期信号を検出するのを待つ。検出部４０１が同期信号を検出すると、ＣＰＵ２２０（解析部４０２）は、受信された同期信号のプロトコルを解析する。図６に関連して説明されたように、ＣＰＵ２２０（解析部４０２）は、受信された同期信号が含むパルスに暗号化信号が付加されているか否かを解析する。受信された同期信号が含むパルスに暗号化信号が付加されていないならば、眼鏡装置５００の動作は、第１制御モードに移る。受信された同期信号が含むパルスに暗号化信号が付加されているならば、眼鏡装置５００の動作は、第２制御モードに移る。同期信号が検出されたとき、ＣＰＵ２２０（解析部４０２）は、同期信号のプロトコルの解析結果に基づき、第１制御モード及び第２制御モードのうち一方を選択する。
【０１００】
プロトコルチェックモードは、例えば、５分間、継続される。５分間の間に、メモリ２２１（記憶部４０３）に予め格納された第１同期信号のプロトコルの情報と合致するプロトコルを有する同期信号が検出されると、第１制御モードが引き続き行われる。５分間の間に、メモリ２２１（記憶部４０３）に予め格納された第２同期信号のプロトコルの情報と合致するプロトコルを有する同期信号が検出されると、第２制御モードが引き続き行われる。５分間の間に、メモリ２２１（記憶部４０３）に予め格納されたプロトコル情報と合致する同期信号が検出されないならば、眼鏡装置５００はスリープ状態となる。スリープ状態の眼鏡装置５００は、後述される。
【０１０１】
ＣＰＵ２２０（解析部４０２）が、受信された同期信号のプロトコルを解析している間、ＣＰＵ２２０（光学フィルタ制御部４０５）は、光学フィルタ部２２４を動作させない。したがって、電池２５５の電力消費が抑制される。
【０１０２】
プロトコルチェックモードにおいて、ＬＥＤ２５４は、２秒間隔で点滅する。図８（中段）において、ＬＥＤ２５４が点灯していない期間は、黒帯線で示され、ＬＥＤ２５４が点灯している期間（例えば、０．０５秒の期間）は、黒帯線中の白い矩形領域で示される。視聴者は、ＬＥＤ２５４の２秒間隔での点滅により、眼鏡装置５００が同期信号のプロトコルチェックをしていることを確認し、眼鏡装置５００を装着することができる。
【０１０３】
（第１制御モード）
上述のプロトコルチェックの結果、ＣＰＵ２２０（解析部４０２）が第１制御モードを選択すると、ＣＰＵ２２０（光学フィルタ制御部４０５）は、光学フィルタ部２２４を第１同期信号にのみ基づいて制御する。したがって、光学フィルタ部２２４は、第１同期信号のパルスＬＰ１，ＲＰ１の受信タイミングに応じて、補助動作を実行する。
【０１０４】
第１制御モードは、眼鏡装置５００が第１同期信号の受信に基づき動作するプロトコル動作状態と、眼鏡装置５００が第１同期信号の受信を待つ待ち状態とを含む。プロトコル動作状態において、眼鏡装置５００は、受信された第１同期信号に基づき、光学フィルタ部２２４を制御する。比較的短期間の第１同期信号の不受信（例えば、５秒間の不受信）が生ずると、眼鏡装置５００は、待ち状態となる。待ち状態の間、眼鏡装置５００は、既に受信された第１同期信号から得た同期情報に基づいて内部信号生成部４０４が生成した自走用の同期信号に基づき、光学フィルタ部２２４を制御する。第１同期信号の不受信が開始されてから、例えば、５分以内の第１同期信号が検出されると、眼鏡装置５００は、プロトコル動作状態に戻る。５分以上、第１同期信号の不受信が継続されると、眼鏡装置５００は、スリープ状態となる。スリープ状態の眼鏡装置５００は後述される。
【０１０５】
眼鏡装置５００が、第１制御モードで制御されている間、ＬＥＤ２５４は、２秒間隔で点滅する。視聴者が眼鏡装置５００を外すと、視聴者は眼鏡装置５００が第１制御モードの制御下で制御されていることを確認することができる。第１同期信号は、比較的明るい環境下で使用される家庭用の表示装置６００ａから送信されるので、ＬＥＤ２５４の点滅は、他の視聴者の映像の視聴をほとんど妨げない。
【０１０６】
（第２制御モード）
上述のプロトコルチェックの結果、ＣＰＵ２２０（解析部４０２）が第２制御モードを選択すると、ＣＰＵ２２０（光学フィルタ制御部４０５）は、光学フィルタ部２２４を第２同期信号にのみ基づいて制御する。したがって、光学フィルタ部２２４は、第２同期信号のパルスＬＰ２，ＲＰ２の受信タイミングに応じて、補助動作を実行する。
【０１０７】
第２制御モードは、眼鏡装置５００が第２同期信号の受信に基づき動作するプロトコル動作状態と、眼鏡装置５００が第２同期信号の受信を待つ待ち状態とを含む。プロトコル動作状態において、眼鏡装置５００は、受信された第２同期信号に基づき、光学フィルタ部２２４を制御する。比較的短期間の第２同期信号の不受信（例えば、５秒間の不受信）が生ずると、眼鏡装置５００は、待ち状態となる。待ち状態の間、眼鏡装置５００は、既に受信された第２同期信号から得た同期情報に基づいて内部信号生成部４０４が生成した自走用の同期信号に基づき、光学フィルタ部２２４を制御する。第２同期信号の不受信が開始されてから、例えば、５分以内の第２同期信号が検出されると、眼鏡装置５００は、プロトコル動作状態に戻る。５分以上、第２同期信号の不受信が継続されると、眼鏡装置５００は、スリープ状態となる。スリープ状態の眼鏡装置５００は後述される。
【０１０８】
尚、メモリ２２１（記憶部４０３）は、好ましくは、上述の制御モードの選択結果を記憶する。第１同期信号或いは第２同期信号のプロトコル動作状態に移行した後に、自走用の同期信号を用いた光学フィルタ部２２４の制御が終了したとしても、受信部４００（受光素子２２３）が直前に受信された同期信号と同一の信号を再受信すると、眼鏡装置５００は、制御モードで選択された直前のプロトコル動作状態に復帰することができる。本実施形態において、同期信号の不受信期間の開始から５分以内に同期信号が再受信されるならば、解析部４０２は、プロトコルチェックモードを再度行うことなく、眼鏡装置５００は、直前の制御モードに直ぐに復帰する。例えば、視聴者が、家庭や映画館で短期間視聴環境から外れても（例えば、視聴者がトイレに行ったときであっても）、視聴者が視聴環境に再度戻ってきたときには、眼鏡装置５００は、元のプロトコルの動作状態に即時に復帰することができる。眼鏡装置５００が、プロトコルチェックモードを再度実行することなく、元のプロトコルの動作へ自動的に復帰することは、特に、使用者が映画館といった比較的暗い環境下で、映像を視聴するときに有利である。眼鏡装置５００が元のプロトコルの動作へ自動的に復帰するので、使用者は、暗い環境下で、眼鏡装置５００を操作する必要がなくなる。使用者が、劇場内の自己の座席に戻り、眼鏡装置５００を着用するのみで、使用者は、映像を適切に再視聴することができる。
【０１０９】
眼鏡装置５００が、第２制御モードで制御されている間、ＬＥＤ２５４は、消灯される。第２同期信号は、比較的暗い環境下で、且つ、多人数で視聴される劇場用の表示装置６００ｂから送信されるので、全ての視聴者は、ＬＥＤ２５４からの光に妨げられることなく、表示装置６００ｂが表示する映像を快適に視聴することができる。
【０１１０】
（スリープ状態）
上述の如く、比較的長い同期信号の不受信（例えば、５分以上の不受信）の結果、眼鏡装置５００は、スリープ状態に入る。眼鏡装置５００がスリープ状態にあるとき、ＣＰＵ２２０は、眼鏡装置５００の多くの要素（例えば、光学フィルタ部２２４、受光素子２２３やＬＥＤ２５４）への電力供給を制限し、最小限の電力（例えば、スリープ状態からオフ状態への切り替え動作に要する電力）しか消費しない。
【０１１１】
眼鏡装置５００がスリープ状態にあるとき、上述の如く、ＬＥＤ２５４には電池２５５からの電力供給が停止される。したがって、ＬＥＤ２５４は消灯される。
【０１１２】
視聴者は、スイッチ部２５３を「オフ」の位置へスライドさせ、電池２５５からの電力供給を完全に遮断することができる。その後、視聴者がスイッチ部２５３を「オン」の位置にスライドさせると、眼鏡装置５００はアクティブ状態となる。
【０１１３】
図９は、図７に関連して説明された眼鏡装置５００の動作がまとめられたフローチャートである。図２、図３、図５乃至図９を用いて、眼鏡装置５００の動作が説明される。
【０１１４】
（ステップＳ１００）
ステップＳ１００において、視聴者は、スイッチ部２５３を「オン」の位置にスライドさせる。この結果、電池２５５から眼鏡装置５００の要素（例えば、ＣＰＵ２２０、ＬＥＤ２５４や受光素子２２３）へ電力供給が開始される。その後、ステップＳ１１０が実行される。
【０１１５】
（ステップＳ１１０）
ステップＳ１００において、電池２５５からＬＥＤ２５４及びＣＰＵ２２０への電力供給がなされるので、ステップＳ１１０において、ＬＥＤ２５４（発光部４５１）は、ＣＰＵ２２０（内部信号生成部４０４）の制御下で、例えば、２秒間、点灯する。その後、ステップＳ１２０が実行される。
【０１１６】
（ステップＳ１２０）
ステップＳ１２０において、眼鏡装置５００は、プロトコルチェックモードに入る。眼鏡装置５００がプロトコルチェックモードに入ると、ＬＥＤ２５４（発光部４５１）は、ＣＰＵ２２０（内部信号生成部４０４）の制御下で、例えば、２秒間隔で点滅する。
【０１１７】
ステップＳ１００において、電池２５５から受光素子２２３への電力供給が開始されるので、眼鏡装置５００は、同期信号を受信することができる。眼鏡装置５００は、同期信号の受信を待つ。受光素子２２３が同期信号を受信すると、ステップＳ１３０が実行される。本実施形態において、ステップＳ１２０は、同期信号を受信する段階として例示される。
【０１１８】
（ステップＳ１３０）
ステップＳ１３０において、眼鏡装置５００は、ステップＳ１２０において受信された同期信号を解析し、解析結果に基づき制御モードを選択する。
【０１１９】
ステップＳ１２０で受信された同期信号が、メモリ２２１（記憶部４０３）が予め格納する第１同期信号のプロトコルの情報と合致するプロトコル（例えば、暗号化信号が付加されていない信号構成）であるならば、ＣＰＵ２２０（解析部４０２）は、第１制御モードを選択する。その後、ステップＳ１４０が実行される。
【０１２０】
ステップＳ１２０で受信された同期信号が、メモリ２２１（記憶部４０３）が予め格納する第２同期信号のプロトコルの情報と合致するプロトコル（例えば、暗号化信号が付加されている信号構成）であるならば、ＣＰＵ２２０（解析部４０２）は、第２制御モードを選択する。その後、ステップＳ１６０が実行される。
【０１２１】
ステップＳ１２０で、例えば、プロトコルチェックモードが開始してから５分間の期間に、同期信号が受信されないときは、ステップＳ１８０が実行される。
【０１２２】
本実施形態において、ステップＳ１３０は、同期信号を解析する段階と、信号構成（プロトコル）の解析結果に基づき、眼鏡装置５００に対する制御モードを、第１制御モードと、第１制御モードと異なる第２制御モードとの間で切り替える段階と、を含む。
【０１２３】
（ステップＳ１４０）
ステップＳ１３０において、第１制御モードが選択されると、第１同期信号に基づき、ＣＰＵ２２０は、光学フィルタ部２２４の補助動作を制御する。光学フィルタ部２２４は、ＣＰＵ２２０の制御下で、視聴者の左眼及び右眼への透過光量を調整し、家庭用の表示装置６００ａが表示する映像を視聴者に立体的に知覚させるように映像の視聴を補助する補助動作を行う。ＬＥＤ２５４は、ステップＳ１２０に引き続いて、例えば、２秒間隔で点滅する。
【０１２４】
（ステップＳ１５０）
第１同期信号が、例えば、５秒以上、受信されないならば、ステップＳ１５０が実行される。ＣＰＵ２２０は、クロック２２２を用いて、第１同期信号の不受信期間を測定する。第１同期信号が、ステップＳ１５０の開始時から、例えば、５分以内に受信されるならば、再度、ステップＳ１４０が実行される。第１同期信号が、ステップＳ１５０の開始時から、例えば、５分以上に受信されないならば、ステップＳ１８０が実行される。
【０１２５】
（ステップＳ１６０）
ステップＳ１３０において、第２制御モードが選択されると、第２同期信号に基づき、ＣＰＵ２２０は、光学フィルタ部２２４の補助動作を制御する。光学フィルタ部２２４は、ＣＰＵ２２０の制御下で、視聴者の左眼及び右眼への透過光量を調整し、劇場用の表示装置６００ｂが表示する映像を視聴者に立体的に知覚させるように映像の視聴を補助する補助動作を行う。ＬＥＤ２５４は、ＣＰＵ２２０（内部信号生成部４０４）の制御下で消灯される。
【０１２６】
（ステップＳ１７０）
第２同期信号が、例えば、５秒以上、受信されないならば、ステップＳ１７０が実行される。ＣＰＵ２２０は、クロック２２２を用いて、第２同期信号の不受信期間を測定する。第２同期信号が、ステップＳ１７０の開始時から、例えば、５分以内に受信されるならば、再度、ステップＳ１６０が実行される。第２同期信号が、ステップＳ１７０の開始時から、例えば、５分以上に受信されないならば、ステップＳ１８０が実行される。
【０１２７】
（ステップＳ１８０）
ステップＳ１８０において、眼鏡装置５００がスリープ状態にあるとき、ＣＰＵ２２０は、眼鏡装置５００の多くの要素（例えば、光学フィルタ部２２４、受光素子２２３やＬＥＤ２５４）への電力供給を制限し、最小限の電力（例えば、スリープ状態からオフ状態への切り替え動作に要する電力）しか消費しない。
【０１２８】
眼鏡装置５００がスリープ状態にあるとき、上述の如く、ＬＥＤ２５４には電池２５５からの電力供給が停止される。したがって、ＬＥＤ２５４は消灯される。また、電池２５５からの電力供給の停止によって、光学フィルタ部２２４の動作も同様に停止される。
【０１２９】
家庭用の表示装置６００ａが表示する映像を視聴している視聴者は、ＬＥＤ２５４の点滅から消灯への切り替わりにより、眼鏡装置５００がスリープ状態となったことを確認することができる。
【０１３０】
（ステップＳ１９０）
ステップＳ１９０において、視聴者は、スイッチ部２５３を「オフ」の位置へスライドさせ、電池２５５からの電力供給を完全に遮断することができる。
【０１３１】
上述の実施形態において、眼鏡装置５００の動作の状態は、ＬＥＤ２５４の明滅により視聴者に通知される。ＬＥＤ２５４の明滅とは異なる手法が、視聴者に眼鏡装置の動作の状態と通知するのに用いられてもよい。例えば、光学フィルタ部の開閉動作（例えば、所定周期及び／又は所定回数、Ｌ光学フィルタとして用いられる液晶シャッタ及びＲ光学フィルタとして用いられる液晶シャッタが同時に開閉する動作）を通じて、視聴者にプロトコルチェックモードが開始されたことが通知されてもよい。
【０１３２】
上述の実施形態において、メモリ２２１（記憶部４０３）は、前回実行されたプロトコルチェックの結果を記憶してもよい。この結果、前回実行されたプロトコルチェックで検出された同期信号のプロトコルが優先的にチェックされる。かくして、効率的なプロトコルチェックが達成される。
【０１３３】
上述の実施形態において、ＬＥＤ２５４（発光部４５１）は、点滅し、眼鏡装置５００がプロトコルチェックモードにあることを視聴者に通知している。代替的に、ＬＥＤ２５４（発光部４５１）は、連続的な発光、連続的な消灯或いは視聴者にプロトコルチェックモードが実行されていることを通知することができる他の明滅動作を行ってもよい。同様に、第１制御モード、第２制御モードやパワーオンの状態を通知するために、上述の実施形態において説明されたＬＥＤ２５４（発光部４５１）の動作以外の動作がなされてもよい。
【０１３４】
図１０は、家庭内においてＴＶ装置を用いて３Ｄ映像を視聴する場面と、劇場において３Ｄ映像を視聴する場面とにおける眼鏡装置５００の動作を説明するフローチャートである。図１０に示されるフローチャートは、図９を参照して説明されたフローチャートに則っているが、実際の使用における眼鏡装置５００の動作をより明確にする。図１、図２及び図１０を用いて、眼鏡装置５００の動作が更に説明される。
【０１３５】
使用者がスイッチ部２５３を「スイッチオン」に設定すると（眼鏡装置５００がターンオンされると）、光学フィルタ部２２４のＬ光学フィルタ２４１及びＲ光学フィルタ２４２はともに開状態となる。この結果、眼鏡装置５００を着用した使用者は、周囲を好適に見渡すことができる。
【０１３６】
図１に関連して説明された如く、眼鏡装置５００は、家庭用のＴＶ装置（家庭用の表示装置６００ａ）によって表示される３Ｄ映像と劇場用の３Ｄ映像（劇場用の表示装置６００ｂ（例えば、プロジェクタ）によって表示される）とを、視聴者が選択的に視聴することを可能にする。眼鏡装置５００は、自身の動作モードを、自動的に選択するためのプロトコルチェックを行う。眼鏡装置５００は、受信した赤外線信号に対してプロトコルチェックを実行し、ＴＶ装置用のプロトコル又は劇場用のプロトコルに対応する動作モードを選択することができる。
【０１３７】
図１０は、どのように、ＴＶ装置用のプロトコル及び劇場用のプロトコルが自動的に検出されるかを示すフローチャートである。使用者は、眼鏡装置５００を着用し、立体映像を表示する表示装置６００（ＴＶ装置又は劇場用のプロジェクション装置）に正対する。このとき、ステップＳ２２０が実行され、眼鏡装置５００は、ＴＶ装置用のプロトコルに従う赤外線信号が受信されたか、劇場用のプロトコルに従う赤外線信号が受信されたかを、チェックする。眼鏡装置５００は、赤外線信号に基づき、いずれのプロトコルに対応すべきかを見極めることができる。その後、眼鏡装置は、赤外線発光部によって送信された同期信号の検出を開始することができる。眼鏡装置５００が一方のプロトコルを検出すると、対応する動作モードが選択される。選択された動作モードは、同一のプロトコルが検出される限り、継続される。もし、眼鏡装置５００が、一時的に、プロトコル（同期信号）を受信しなかったとしても、眼鏡装置５００が、所定期間（例えば、５分間）以内に、同一のプロトコル（同期信号）を受信するならば、眼鏡装置５００は、同一の動作モードを持続する。即ち、ひとたび、プロトコルの選択がなされるならば、眼鏡装置５００は、対応する動作モードを継続し、他の動作モードへ変更しない。もし、眼鏡装置５００が、所定期間以内に同一のプロトコルを受信しないならば、最終的に、眼鏡装置５００は、ターンオフ又はパワーオフする（補助動作を実行するための電力供給は停止される）。
【０１３８】
上述の様々な実施形態は、単に例示的なものである。したがって、上述の実施形態の原理は、上記の詳細な説明や図面に記載の事項に限定されない。上述の実施形態の原理の範囲内で、当業者が様々な変形、組み合わせや省略を行うことができることは容易に理解される。
【０１３９】
上述された実施形態は、以下の特徴を主に備える。
【０１４０】
上述の実施形態の一の局面に係る眼鏡装置は、視聴者の左眼及び右眼への透過光量を調整し、映像を立体的に知覚させるように前記映像の視聴を補助する補助動作を行う。眼鏡装置は、前記映像の表示に同期した同期信号を受信する受信部と、前記補助動作を行うための電力の供給が開始された後、前記同期信号の信号構成を解析し、前記信号構成の解析結果に基づき、第１制御モードと、該第１制御モードと異なる第２制御モードとの間で制御モードを切り替える制御部と、を備えることを特徴とする。
【０１４１】
上記構成によれば、眼鏡装置は、視聴者の左眼及び右眼への透過光量を調整し、映像を立体的に知覚させるように映像の視聴を補助する補助動作を行う。受信部は、映像の表示に同期した同期信号を受信する。制御部は、補助動作を行うための電力の供給が開始された後、同期信号の信号構成を解析する。制御部は、信号構成の解析結果に基づき、第１制御モードと、第１制御モードと異なる第２制御モードとの間で制御モードを切り替える。眼鏡装置は、同期信号の信号構成に基づき、適切に制御されるので、異なる仕様の同期信号に対応することができる。
【０１４２】
上記構成において、前記受信部が、所定期間、前記同期信号を受信しないとき、前記制御部は、前記眼鏡装置をスリープモードにすることが好ましい。
【０１４３】
上記構成によれば、受信部が、所定期間、同期信号を受信しないとき、制御部は、眼鏡装置をスリープモードにするので省電力が達成される。
【０１４４】
上記構成において、前記所定期間が開始される前に行われた前記同期信号の前記信号構成の解析の結果、前記制御部が前記第１制御モードを選択し、且つ、前記眼鏡装置が前記スリープモードになる前に前記受信部が前記同期信号を受信するならば、前記制御部は、前記同期信号の前記信号構成を再度解析することなく、前記第１制御モードを選択し、前記所定期間が開始される前に行われた前記同期信号の前記信号構成の解析の結果、前記制御部が前記第２制御モードを選択し、且つ、前記眼鏡装置が前記スリープモードになる前に前記受信部が前記同期信号を受信するならば、前記制御部は前記同期信号の前記信号構成を再度解析することなく、前記第２制御モードを選択することが好ましい。
【０１４５】
上記構成によれば、所定期間が開始される前に行われた同期信号の信号構成の解析の結果、制御部が第１制御モードを選択し、且つ、眼鏡装置がスリープモードになる前に受信部が同期信号を受信するならば、制御部は、同期信号の信号構成を再度解析することなく、第１制御モードを選択する。また、所定期間が開始される前に行われた同期信号の信号構成の解析の結果、制御部が第２制御モードを選択し、且つ、眼鏡装置がスリープモードになる前に受信部が同期信号を受信するならば、制御部は同期信号の信号構成を再度解析することなく、第２制御モードを選択する。制御部は、不必要に、同期信号の信号構成を解析しないので、円滑な信号処理が達成される。
【０１４６】
上記構成において、眼鏡装置は、前記同期信号の受信を通知する通知部を更に備え、前記同期信号は、第１同期信号と、該第１同期信号と異なる信号構成を有する第２同期信号と、を含み、前記制御部は、前記受信部が前記第１同期信号を受信したとき、前記第１制御モード下で前記通知部を制御し、前記受信部が前記第２同期信号を受信したとき、前記第２制御モード下で前記通知部を制御し、前記第１制御モード下で制御される前記通知部は、前記第２制御モード下で制御される前記通知部の動作と異なる動作をすることが好ましい。
【０１４７】
上記構成によれば、眼鏡装置は、同期信号の受信を通知する通知部を更に備える。同期信号は、第１同期信号と、第１同期信号と異なる信号構成を有する第２同期信号と、を含む。制御部は、受信部が第１同期信号を受信したとき、第１制御モード下で通知部を制御する。また、制御部は、受信部が第２同期信号を受信したとき、第２制御モード下で通知部を制御する。第１制御モード下で制御される通知部は、第２制御モード下で制御される通知部の動作と異なる動作をするので、第１同期信号及び／又は第２同期信号の受信を視聴者に通知することができる。
【０１４８】
上記構成において、前記第１同期信号は、立体映像を表示するテレビ装置又はパーソナルコンピュータから送信され、前記第２同期信号は、映画館内で立体映像を表示する表示システムから送信されることが好ましい。
【０１４９】
上記構成によれば、第１同期信号は、立体映像を表示するテレビ装置又はパーソナルコンピュータから送信される。第２同期信号は、映画館内で立体映像を表示する表示システムから送信される。制御部は、信号構成の解析結果に基づき、第１制御モードと、第１制御モードと異なる第２制御モードとの間で制御モードを切り替えるので、使用者は、単一の眼鏡装置を用いて、テレビ装置又はパーソナルコンピュータが表示する立体映像と表示システムが映画館内で表示する立体映像とをともに視聴することができる。したがって、使用者は、使用者自身に最も適合した単一の眼鏡装置を用いて、立体映像の視聴を楽しむことができる。加えて、制御部は、信号構成の解析結果に基づき、第１制御モードと、第１制御モードと異なる第２制御モードとの間で制御モードを切り替えるので、使用者は、映画館中の暗い環境下での眼鏡装置を操作することなしに、適切な制御下で補助動作を行う眼鏡装置の補助を受け、立体映像を視聴することができる。また、使用者の手動操作に依存することなく制御モードが切り替えられるので、不適切な制御モードの設定は生じにくくなる。
【０１５０】
上記構成において、前記通知部は、光を発する発光部を含み、前記制御部が、前記同期信号の前記信号構成を解析しているとき、前記発光部は、発光、消灯又は点滅し、前記制御部が前記信号構成の解析を行っていることを視聴者に通知することが好ましい。
【０１５１】
上記構成によれば、通知部は、光を発する発光部を含む。制御部が、同期信号の信号構成を解析しているとき、発光部は、発光、消灯又は点滅し、制御部が信号構成の解析を行っていることを視聴者に通知するので、視聴者は眼鏡装置の動作状況を適切に把握することができる。
【０１５２】
上記構成において、前記制御部は、前記受信部が前記第１同期信号を受信したとき、前記発光部を発光させ、前記受信部が前記第２同期信号を受信したとき、前記発光部を消灯させることが好ましい。
【０１５３】
上記構成によれば、制御部は、受信部が第１同期信号を受信したとき、発光部を発光させる。また、制御部は、受信部が第２同期信号を受信したとき、発光部を消灯させる。したがって、使用者は、発光部の発光又は消灯に基づき、第１同期信号又は第２同期信号の受信を知ることができる。
【０１５４】
上記構成において、眼鏡装置は、前記補助動作を行う光学フィルタ部を更に備え、前記制御部は、前記受信部が前記第１同期信号を受信したとき、前記第１制御モード下で前記光学フィルタ部を制御し、前記受信部が前記第２同期信号を受信したとき、前記第２制御モード下で前記光学フィルタ部を制御し、前記第１制御モード下で制御される前記光学フィルタ部は、前記第１同期信号の受信タイミングに基づき、前記補助動作を行い、前記第２制御モード下で制御される前記光学フィルタ部は、前記第２同期信号の受信タイミングに基づき、前記補助動作を行うことが好ましい。
【０１５５】
上記構成によれば、眼鏡装置は、補助動作を行う光学フィルタ部を更に備える。制御部は、受信部が第１同期信号を受信したとき、第１制御モード下で光学フィルタ部を制御する。制御部は、受信部が第２同期信号を受信したとき、第２制御モード下で光学フィルタ部を制御する。第１制御モード下で制御される光学フィルタ部は、第１同期信号の受信タイミングに基づき、補助動作を行う。第２制御モード下で制御される光学フィルタ部は、第２同期信号の受信タイミングに基づき、補助動作を行う。したがって、眼鏡装置は、第１同期信号及び第２同期信号に基づいて、適切に補助動作を実行することができる。
【０１５６】
上記構成において、前記制御部が、前記同期信号の前記信号構成を解析している間、前記制御部は、前記光学フィルタ部を動作させないことが好ましい。
【０１５７】
上記構成によれば、制御部が、同期信号の信号構成を解析している間、制御部は、光学フィルタ部を動作させないので、不必要な電力消費が避けられる。
【０１５８】
上記構成において、前記制御部は、前記第１同期信号の信号構成と前記第２同期信号の信号構成とに関する信号構成データを予め格納した記憶部と、前記信号構成データと前記受信部が受信した同期信号の信号構成とを比較し、前記第１制御モード及び第２制御モードのうち一方を選択する選択部と、を含むことが好ましい。
【０１５９】
上記構成によれば、記憶部は、第１同期信号の信号構成と第２同期信号の信号構成とに関する信号構成データを予め格納する。選択部は、信号構成データと受信部が受信した同期信号の信号構成とを比較し、第１制御モード及び第２制御モードのうち一方を選択するので、制御モードの切り替えが適切に実行される。
【０１６０】
上記構成において、前記信号構成データは、伝送波長帯域、伝送無線周波数、前記同期信号の周波数、前記同期信号の情報量及び前記同期信号のビット配列のうち少なくとも１つに関するデータを含むことが好ましい。
【０１６１】
上記構成によれば、信号構成データは、伝送波長帯域、伝送無線周波数、同期信号の周波数、同期信号の情報量、同期信号のビット配列のうち少なくとも１つに関するデータを含むので、選択部は、受信部が受信した同期信号の伝送波長帯域、伝送無線周波数、同期信号の周波数、同期信号の情報量、同期信号のビット配列のうち少なくとも１つの特性に基づいて、第１制御モード及び第２制御モードのうち一方を選択することができる。
【０１６２】
上記構成において、前記第２同期信号には暗号化された暗号化信号が付加され、前記選択部は、前記信号構成データと前記受信部が受信した前記同期信号の信号構成とを比較し、前記受信部が受信した前記同期信号が前記暗号化信号を含むとき、前記第２制御モードを選択し、前記受信部が受信した前記同期信号が前記暗号化信号を含まないとき、前記第１制御モードを選択することが好ましい。
【０１６３】
上記構成によれば、第２同期信号には暗号化された暗号化信号が付加される。選択部は、信号構成データと受信部が受信した同期信号の信号構成とを比較する。選択部は、受信部が受信した同期信号が暗号化信号を含むとき、第２制御モードを選択する。また、選択部は、受信部が受信した同期信号が暗号化信号を含まないとき、第１制御モードを選択する。したがって、制御部は、制御モードの切り替えを適切に実行することができる。
【０１６４】
上述の実施形態の他の局面に係る眼鏡装置の制御方法は、視聴者の左眼及び右眼への透過光量を調整し、映像を立体的に知覚させるように前記映像の視聴を補助する補助動作を行う眼鏡装置の制御方法であって、同期信号を受信する段階と、前記同期信号の信号構成を解析する段階と、前記信号構成の解析結果に基づき、前記眼鏡装置に対する制御モードを、第１制御モードと、該第１制御モードと異なる第２制御モードとの間で切り替える段階と、を備えることを特徴とする。
【０１６５】
上記構成によれば、視聴者の左眼及び右眼への透過光量を調整し、映像を立体的に知覚させるように映像の視聴を補助する補助動作を行う眼鏡装置の制御方法は、同期信号を受信する段階と、同期信号の信号構成を解析する段階と、信号構成の解析結果に基づき、眼鏡装置に対する制御モードを、第１制御モードと、該第１制御モードと異なる第２制御モードとの間で切り替える段階と、を備えるので、眼鏡装置は、異なる仕様の同期信号に対応することができる。
【産業上の利用可能性】
【０１６６】
上述の実施形態の原理は、複数種の表示装置に対応して共用される眼鏡装置に好適に利用される。
【手続補正３】
【補正対象書類名】図面
【補正対象項目名】全図
【補正方法】変更
【補正の内容】
【図１】
2012081181.tif 000013
【図２】
2012081181.tif 000014
【図３】
2012081181.tif 000015
【図４】
2012081181.tif 000016
【図５】
2012081181.tif 000017
【図６】
2012081181.tif 000018
【図７】
2012081181.tif 000019
【図８】
2012081181.tif 000020
【図９】
2012081181.tif 000021
【図１０】
2012081181.tif 000022
【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
視聴者の左眼及び右眼への透過光量を調整し、映像を立体的に知覚させるように前記映像の視聴を補助する補助動作を行う眼鏡装置であって、
前記映像の表示に同期した同期信号を受信する受信部と、
前記補助動作を行うための電力の供給が開始された後、前記同期信号の信号構成を解析し、前記信号構成の解析結果に基づき、第１制御モードと、該第１制御モードと異なる第２制御モードとの間で制御モードを切り替える制御部と、を備え、
前記受信部が、所定期間、前記同期信号を受信しないとき、前記制御部は、前記眼鏡装置をスリープモードにし、
前記所定期間が開始される前に行われた前記同期信号の前記信号構成の解析の結果、前記制御部が前記第１制御モードを選択し、且つ、前記眼鏡装置が前記スリープモードになる前に前記受信部が前記同期信号を受信するならば、前記制御部は、前記同期信号の前記信号構成を再度解析することなく、前記第１制御モードを選択し、
前記所定期間が開始される前に行われた前記同期信号の前記信号構成の解析の結果、前記制御部が前記第２制御モードを選択し、且つ、前記眼鏡装置が前記スリープモードになる前に前記受信部が前記同期信号を受信するならば、前記制御部は、前記同期信号の前記信号構成を再度解析することなく、前記第２制御モードを選択することを特徴とする眼鏡装置。
【請求項２】
前記同期信号の受信を通知する通知部を更に備え、
前記同期信号は、第１同期信号と、該第１同期信号と異なる信号構成を有する第２同期信号と、を含み、
前記制御部は、前記受信部が前記第１同期信号を受信したとき、前記第１制御モード下で前記通知部を制御し、前記受信部が前記第２同期信号を受信したとき、前記第２制御モード下で前記通知部を制御し、
前記第１制御モード下で制御される前記通知部は、前記第２制御モード下で制御される前記通知部の動作と異なる動作をすることを特徴とする請求項１に記載の眼鏡装置。
【請求項３】
前記第１同期信号は、立体映像を表示するテレビ装置又はパーソナルコンピュータから送信され、
前記第２同期信号は、映画館内で立体映像を表示する表示システムから送信されることを特徴とする請求項２に記載の眼鏡装置。
【請求項４】
前記通知部は、光を発する発光部を含み、
前記制御部が、前記同期信号の前記信号構成を解析しているとき、前記発光部は、発光、消灯又は点滅し、前記制御部が前記信号構成の解析を行っていることを視聴者に通知することを特徴とする請求項３に記載の眼鏡装置。
【請求項５】
前記制御部は、前記受信部が前記第１同期信号を受信したとき、前記発光部を発光させ、前記受信部が前記第２同期信号を受信したとき、前記発光部を消灯させることを特徴とする請求項４に記載の眼鏡装置。
【請求項６】
前記補助動作を行う光学フィルタ部を更に備え、
前記制御部は、前記受信部が前記第１同期信号を受信したとき、前記第１制御モード下で前記光学フィルタ部を制御し、前記受信部が前記第２同期信号を受信したとき、前記第２制御モード下で前記光学フィルタ部を制御し、
前記第１制御モード下で制御される前記光学フィルタ部は、前記第１同期信号の受信タイミングに基づき、前記補助動作を行い、
前記第２制御モード下で制御される前記光学フィルタ部は、前記第２同期信号の受信タイミングに基づき、前記補助動作を行うことを特徴とする請求項２乃至５のいずれか１項に記載の眼鏡装置。
【請求項７】
前記制御部が、前記同期信号の前記信号構成を解析している間、前記制御部は、前記光学フィルタ部を動作させないことを特徴とする請求項６に記載の眼鏡装置。
【請求項８】
前記制御部は、
前記第１同期信号の信号構成と前記第２同期信号の信号構成とに関する信号構成データを予め格納した記憶部と、
前記信号構成データと前記受信部が受信した同期信号の信号構成とを比較し、前記第１制御モード及び第２制御モードのうち一方を選択する選択部と、を含むことを特徴とする請求項３乃至５のいずれか１項に記載の眼鏡装置。
【請求項９】
前記信号構成データは、伝送波長帯域、伝送無線周波数、前記同期信号の周波数、前記同期信号の情報量及び前記同期信号のビット配列のうち少なくとも１つに関するデータを含むことを特徴とする請求項８に記載の眼鏡装置。
【請求項１０】
前記第２同期信号には暗号化された暗号化信号が付加され、
前記選択部は、前記信号構成データと前記受信部が受信した前記同期信号の信号構成とを比較し、前記受信部が受信した前記同期信号が前記暗号化信号を含むとき、前記第２制御モードを選択し、前記受信部が受信した前記同期信号が前記暗号化信号を含まないとき、前記第１制御モードを選択することを特徴とする請求項８に記載の眼鏡装置。
【請求項１１】
視聴者の左眼及び右眼への透過光量を調整し、映像を立体的に知覚させるように前記映像の視聴を補助する補助動作を行う眼鏡装置の制御方法であって、
同期信号を受信する段階と、
前記同期信号の信号構成を解析する段階と、
前記信号構成の解析結果に基づき、前記眼鏡装置に対する制御モードを、第１制御モードと、該第１制御モードと異なる第２制御モードと、前記同期信号が所定期間されないならば実行されるスリープモードと、の間で切り替える段階と、を備え、
前記所定期間が開始される前に行われた前記信号構成の解析の結果、前記第１制御モードが選択され、且つ、前記スリープモードに切り替えられる前に前記同期信号が受信されるならば、前記切り替える段階において、前記信号構成を再度解析することなく、前記第１制御モードが選択され、
前記所定期間が開始される前に行われた前記信号構成の解析の結果、前記第２制御モードが選択され、且つ、前記スリープモードに切り替えられる前に前記同期信号が受信されるならば、前記切り替える段階において、前記信号構成を再度解析することなく、前記第２制御モードが選択されることを特徴とする制御方法。
【国際調査報告】
2012081181.tif 000023
2012081181.tif 000024
2012081181.tif 000025
2012081181.tif 000026